(57)【要約】  本開示の実施例は、ＤＣＩの伝送方法、端末及び基地局を提供し、該伝送方法は、アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを受信することと、前記ＤＣＩから前記スケジューリング情報と前記ショートメッセージのうちの少なくとも１種を取得することとを含む。【選択図】  図２
2021521735.tif 000002
【特許請求の範囲】
【請求項１】
端末に適用されるＤＣＩ（Ｄｏｗｎｌｉｎｋ  Ｃｏｎｔｒｏｌ  Ｉｎｆｏｒｍａｔｉｏｎ）の伝送方法であって、
アイドル状態の端末に対するページングメッセージとシステム情報の変更がネットワークに同時に存在する場合、前記ページングメッセージのＰＤＳＣＨ（Ｐｈｙｓｉｃａｌ  Ｄｏｗｎｌｉｎｋ  Ｓｈａｒｅｄ  Ｃｈａｎｎｅｌ）のスケジューリング情報と前記システム情報の変更を指示するショートメッセージとが付帯されており、そうでなければ、前記スケジューリング情報又は前記ショートメッセージが付帯されているＤＣＩを受信することと、
前記ＤＣＩから前記スケジューリング情報と前記ショートメッセージのうちの少なくとも１種を取得することとを含む、ＤＣＩの伝送方法。
【請求項２】
前記ＤＣＩは、前記ＤＣＩに付帯されているコンテンツを指示する指示情報をさらに含む、請求項１に記載のＤＣＩの伝送方法。
【請求項３】
前記ＤＣＩは、前記指示情報を含むヘッダフィールドを含み、
ここで、前記指示情報は、前記ＤＣＩに前記スケジューリング情報と前記ショートメッセージのうちの少なくとも１種が付帯されていることを指示し、又は、
前記指示情報の一部のビットは、前記ＤＣＩに前記スケジューリング情報が付帯されているか否かを指示し、他の一部のビットは、前記ＤＣＩに前記ショートメッセージが付帯されているか否かを指示する、請求項２に記載のＤＣＩの伝送方法。
【請求項４】
前記ＤＣＩに前記ショートメッセージが付帯されており、前記指示情報は前記ＤＣＩに前記スケジューリング情報が付帯されているか否かを指示する、請求項２に記載のＤＣＩの伝送方法。
【請求項５】
前記ＤＣＩはＫ１ビットを含み、前記指示情報は前記ＤＣＩに前記スケジューリング情報が付帯されていることを指示すれば、前記Ｋ１ビットは前記スケジューリング情報を指示し、前記指示情報が前記ＤＣＩに前記スケジューリング情報が付帯されていないことを指示すれば、前記Ｋ１ビットは予約ビットであり、Ｋ１が１以上の整数である、請求項４に記載のＤＣＩの伝送方法。
【請求項６】
前記ＤＣＩはヘッダフィールドを含み、前記ヘッダフィールドは、前記ＤＣＩに前記ショートメッセージと前記スケジューリング情報のうちの一方が付帯されていることを指示する前記指示情報を含み、前記ＤＣＩに前記ショートメッセージと前記スケジューリング情報のうちの他方も付帯されていれば、前記ＤＣＩ中のＫｘビットにより前記ショートメッセージと前記スケジューリング情報のうちの他方を指示し、Ｋｘが１以上の整数である、請求項２に記載のＤＣＩの伝送方法。
【請求項７】
前記指示情報は前記ＤＣＩに前記ショートメッセージが付帯されていることを指示し、かつ前記ＤＣＩ中のＫ２ビットが特定のコードポイントでなければ、前記Ｋ２ビットは前記スケジューリング情報を指示し、前記Ｋ２ビットが前記特定のコードポイントであれば、前記ＤＣＩに前記スケジューリング情報が付帯されていないことを示し、Ｋ２が１以上の整数であり、又は、
前記指示情報は前記ＤＣＩに前記ショートメッセージが付帯されていることを指示すれば、前記ＤＣＩは前記ＤＣＩに前記スケジューリング情報が付帯されているか否かを指示する第１の指示ビットを含み、ここで、前記第１の指示ビットが前記ＤＣＩに前記スケジューリング情報が付帯されていることを指示すれば、前記ＤＣＩ中のＫ３ビットは前記スケジューリング情報を指示し、Ｋ３が１以上の整数であり、又は、
前記指示情報は前記ＤＣＩに前記スケジューリング情報が付帯されていることを指示すれば、前記ＤＣＩ中のＭ１ビットは前記ショートメッセージを指示し、Ｍ１が１以上の整数であり、又は、
前記指示情報は前記ＤＣＩに前記スケジューリング情報が付帯されていることを指示すれば、前記ＤＣＩは前記ＤＣＩに前記ショートメッセージが付帯されているか否かを指示する第２の指示ビットを含み、ここで、前記第２の指示ビットは、前記ＤＣＩに前記ショートメッセージが付帯されていることを指示すれば、前記ＤＣＩ中のＭ２ビットは前記ショートメッセージを指示し、Ｍ２が１以上の整数である、請求項６に記載のＤＣＩの伝送方法。
【請求項８】
前記ＤＣＩに前記ショートメッセージが付帯されており、前記ＤＣＩはＫ４ビットをさらに含み、前記Ｋ４ビットが特定のコードポイントでなければ、前記Ｋ４ビットは前記スケジューリング情報を指示し、前記Ｋ４ビットが前記特定のコードポイントであれば、前記ＤＣＩに前記スケジューリング情報が付帯されていないことを示し、Ｋ４が１以上の整数である、請求項１に記載のＤＣＩの伝送方法。
【請求項９】
前記ＤＣＩ中の残りビットは予約ビットである、請求項１〜８のいずれか１項に記載のＤＣＩの伝送方法。
【請求項１０】
前記システム情報の変更は、通常システム情報の変更とパブリックセーフティのシステム情報の変更のうちの少なくとも１項を含み、
ここで、前記ショートメッセージに残りビットが存在すれば、該残りビットが予約ビットである、請求項１〜８のいずれか１項に記載のＤＣＩの伝送方法。
【請求項１１】
前記スケジューリング情報又は前記ＤＣＩに指示情報が付帯されており、該指示情報は前記ページングメッセージにシステム情報の変更指示が付帯されているか否かを指示する、請求項１〜８のいずれか１項に記載のＤＣＩの伝送方法。
【請求項１２】
基地局に適用されるＤＣＩの伝送方法であって、
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを生成することと、
ＰＤＣＣＨで前記ＤＣＩを伝送することとを含む、ＤＣＩの伝送方法。
【請求項１３】
前記ＤＣＩは、前記ＤＣＩに付帯されているコンテンツを指示する指示情報をさらに含む、請求項１２に記載のＤＣＩの伝送方法。
【請求項１４】
前記ＤＣＩは、前記指示情報を含むヘッダフィールドを含み、
ここで、前記指示情報は、前記ＤＣＩに前記スケジューリング情報と前記ショートメッセージのうちの少なくとも１種が付帯されていることを指示し、又は、
前記指示情報の一部のビットは、前記ＤＣＩに前記スケジューリング情報が付帯されているか否かを指示し、他の一部のビットは、前記ＤＣＩに前記ショートメッセージが付帯されているか否かを指示する、請求項１３に記載のＤＣＩの伝送方法。
【請求項１５】
前記ＤＣＩに前記ショートメッセージが付帯されており、前記指示情報は前記ＤＣＩに前記スケジューリング情報が付帯されているか否かを指示する、請求項１３に記載のＤＣＩの伝送方法。
【請求項１６】
前記ＤＣＩはＫ１ビットを含み、前記指示情報は前記ＤＣＩに前記スケジューリング情報が付帯されていることを指示すれば、前記Ｋ１ビットは前記スケジューリング情報を指示し、前記指示情報が前記ＤＣＩに前記スケジューリング情報が付帯されていないことを指示すれば、前記Ｋ１ビットは予約ビットであり、Ｋ１が１以上の整数である、請求項１５に記載のＤＣＩの伝送方法。
【請求項１７】
前記ＤＣＩはヘッダフィールドを含み、前記ヘッダフィールドは、前記ＤＣＩに前記ショートメッセージと前記スケジューリング情報のうちの一方が付帯されていることを指示する前記指示情報を含み、前記ＤＣＩに前記ショートメッセージと前記スケジューリング情報のうちの他方も付帯されていれば、前記ＤＣＩ中のＫｘビットにより前記ショートメッセージと前記スケジューリング情報のうちの他方を指示し、Ｋｘが１以上の整数である、請求項１３に記載のＤＣＩの伝送方法。
【請求項１８】
前記指示情報は前記ＤＣＩに前記ショートメッセージが付帯されていることを指示し、かつ前記ＤＣＩ中のＫ２ビットが特定のコードポイントでなければ、前記Ｋ２ビットは前記スケジューリング情報を指示し、前記Ｋ２ビットが前記特定のコードポイントであれば、前記ＤＣＩに前記スケジューリング情報が付帯されていないことを示し、Ｋ２が１以上の整数であり、又は、
前記指示情報は前記ＤＣＩに前記ショートメッセージが付帯されていることを指示すれば、前記ＤＣＩは前記ＤＣＩに前記スケジューリング情報が付帯されているか否かを指示する第１の指示ビットを含み、ここで、前記第１の指示ビットが前記ＤＣＩに前記スケジューリング情報が付帯されていることを指示すれば、前記ＤＣＩ中のＫ３ビットは前記スケジューリング情報を指示し、Ｋ３が１以上の整数であり、又は、
前記指示情報は前記ＤＣＩに前記スケジューリング情報が付帯されていることを指示すれば、前記ＤＣＩ中のＭ１ビットは前記ショートメッセージを指示し、Ｍ１が１以上の整数であり、又は、
前記指示情報は前記ＤＣＩに前記スケジューリング情報が付帯されていることを指示すれば、前記ＤＣＩは前記ＤＣＩに前記ショートメッセージが付帯されているか否かを指示する第２の指示ビットを含み、ここで、前記第２の指示ビットは、前記ＤＣＩに前記ショートメッセージが付帯されていることを指示すれば、前記ＤＣＩ中のＭ２ビットは前記ショートメッセージを指示し、Ｍ２が１以上の整数である、請求項１７に記載のＤＣＩの伝送方法。
【請求項１９】
前記ＤＣＩに前記ショートメッセージが付帯されており、前記ＤＣＩはＫ４ビットをさらに含み、前記Ｋ４ビットが特定のコードポイントでなければ、前記Ｋ４ビットは前記スケジューリング情報を指示し、前記Ｋ４ビットが前記特定のコードポイントであれば、前記ＤＣＩに前記スケジューリング情報が付帯されていないことを示し、Ｋ４が１以上の整数である、請求項１２に記載のＤＣＩの伝送方法。
【請求項２０】
前記ＤＣＩ中の残りビットは予約ビットである、請求項１２〜１９のいずれか１項に記載のＤＣＩの伝送方法。
【請求項２１】
前記システム情報の変更は、通常システム情報の変更とパブリックセーフティのシステム情報の変更のうちの少なくとも１項を含み、
ここで、前記ショートメッセージに残りビットが存在すれば、該残りビットが予約ビットである、請求項１２〜１９のいずれか１項に記載のＤＣＩの伝送方法。
【請求項２２】
前記スケジューリング情報又は前記ＤＣＩに指示情報が付帯されており、該指示情報は前記ページングメッセージにシステム情報の変更指示が付帯されているか否かを指示する、請求項１２〜１９のいずれか１項に記載のＤＣＩの伝送方法。
【請求項２３】
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを受信する受信モジュールと、
前記ＤＣＩから前記スケジューリング情報と前記ショートメッセージのうちの少なくとも１種を取得する取得モジュールとを含む、端末。
【請求項２４】
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを生成する生成モジュールと、
ＰＤＣＣＨで前記ＤＣＩを伝送する伝送モジュールとを含む、基地局。
【請求項２５】
メモリと、プロセッサと、前記メモリに記憶されて前記プロセッサ上で実行可能なコンピュータプログラムとを含む端末であって、前記コンピュータプログラムは、前記プロセッサによって実行されると、請求項１〜１１のいずれか１項に記載のＤＣＩの伝送方法を実現する、端末。
【請求項２６】
メモリと、プロセッサと、前記メモリに記憶されて前記プロセッサ上で実行可能なコンピュータプログラムとを含む基地局であって、前記コンピュータプログラムは、前記プロセッサによって実行されると、請求項１２〜２２のいずれか１項に記載のＤＣＩの伝送方法を実現する、基地局。
【請求項２７】
コンピュータプログラムが記憶されているコンピュータ可読記憶媒体であって、
前記コンピュータプログラムは、プロセッサによって実行されると、請求項１〜２２のいずれか１項に記載のＤＣＩの伝送方法を実現する、コンピュータ可読記憶媒体。
【発明の詳細な説明】
【技術分野】
【０００１】
本願は、２０１８年５月１０日に提出された中国特許出願第２０１８１０４４５１１０．７号の優先権を主張するものであり、その全ての内容は参照により本願に組み込まれるものとする。
本開示は、通信の技術分野に関し、特にＤＣＩ（Ｄｏｗｎｌｉｎｋ  Ｃｏｎｔｒｏｌ  Ｉｎｆｏｒｍａｔｉｏｎ）の伝送方法、端末及び基地局に関する。
【背景技術】
【０００２】
ＮＲ（Ｎｅｗ  Ｒａｄｉｏ）システム端末の状態は、接続状態、アイドル状態及び非アクティブ状態を含み、システム情報の更新通知はＰＤＳＣＨ（Ｐｈｙｓｉｃａｌ  Ｄｏｗｎｌｉｎｋ  Ｓｈａｒｅｄ  Ｃｈａｎｎｅｌ）で伝送されてもよく、ＰＤＣＣＨ（Ｐｈｙｓｉｃａｌ  Ｄｏｗｎｌｉｎｋ  Ｃｏｎｔｒｏｌ  Ｃｈａｎｎｅｌ）で伝送されてもよい。しかしながら、関連技術における通信システムにおいて、異なる状態の端末に対して、システム情報の更新通知を異なるチャネルにより伝送し、例えば、アイドル状態の端末の性能を保証するためにＰＤＳＣＨでシステム情報の更新通知を伝送し、接続状態の端末の性能を保証するためにＰＤＣＣＨでシステム情報の更新通知を伝送する。しかしながら、それぞれＰＤＳＣＨとＰＤＣＣＨでシステム情報の更新通知を伝送する必要があるため、シグナリングの伝送オーバーヘッドが大きくなっている。
【発明の概要】
【発明が解決しようとする課題】
【０００３】
本開示の実施例は、シグナリングの伝送オーバーヘッドが大きいという課題を解決するために、ＤＣＩの伝送方法、端末及び基地局を提供する。
【課題を解決するための手段】
【０００４】
第１の態様では、本開示の実施例に係る、端末に適用されるＤＣＩの伝送方法は、
端末に適用されるＤＣＩ（Ｄｏｗｎｌｉｎｋ  Ｃｏｎｔｒｏｌ  Ｉｎｆｏｒｍａｔｉｏｎ）の伝送方法であって、
アイドル状態の端末に対するページングメッセージとシステム情報の変更がネットワークに同時に存在する場合、前記ページングメッセージのＰＤＳＣＨ（Ｐｈｙｓｉｃａｌ  Ｄｏｗｎｌｉｎｋ  Ｓｈａｒｅｄ  Ｃｈａｎｎｅｌ）のスケジューリング情報と前記システム情報の変更を指示するショートメッセージとが付帯されており、そうでなければ、前記スケジューリング情報又は前記ショートメッセージが付帯されているＤＣＩを受信することと、
前記ＤＣＩから前記スケジューリング情報と前記ショートメッセージのうちの少なくとも１種を取得することとを含む。
【０００５】
第２の態様では、本開示の実施例に係る、基地局に適用されるＤＣＩの伝送方法は、
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを生成することと、
ＰＤＣＣＨで前記ＤＣＩを伝送することとを含む。
【０００６】
第３の態様では、本開示の実施例に係る端末は、
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを受信する受信モジュールと、
前記ＤＣＩから前記スケジューリング情報と前記ショートメッセージのうちの少なくとも１種を取得する取得モジュールとを含む。
【０００７】
第４の態様では、本開示の実施例に係る基地局は、
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを生成する生成モジュールと、
ＰＤＣＣＨで前記ＤＣＩを伝送する伝送モジュールとを含む。
【０００８】
第５の態様では、本開示の実施例に係る端末は、メモリと、プロセッサと、前記メモリに記憶されて前記プロセッサ上で実行可能で、前記プロセッサによって実行されると、本開示の実施例に係る端末側のＤＣＩの伝送方法を実現するコンピュータプログラムとを含む。
【０００９】
第６の態様では、本開示の実施例に係る基地局は、メモリと、プロセッサと、前記メモリに記憶されて前記プロセッサ上で実行可能で、前記プロセッサによって実行されると、本開示の実施例に係る基地局側のＤＣＩの伝送方法を実現するコンピュータプログラムとを含む。
【００１０】
第７の態様では、本開示の実施例に係るコンピュータプログラムが記憶されているコンピュータ可読記憶媒体には、前記コンピュータプログラムが、プロセッサによって実行されると、本開示の実施例に係る端末側のＤＣＩの伝送方法又は本開示の実施例に係る基地局側のＤＣＩの伝送方法を実現する。
【発明の効果】
【００１１】
本開示の実施例において、アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを受信し、前記ＤＣＩから前記スケジューリング情報と前記ショートメッセージのうちの少なくとも１種を取得する。シグナリングの伝送オーバーヘッドを低減することができる。
【図面の簡単な説明】
【００１２】
【図１】本開示の実施例が適用可能なネットワークシステムの構成図である。
【図２】本開示の実施例に係るＤＣＩの伝送方法のフローチャートである。
【図３】本開示の実施例に係る別のＤＣＩの伝送方法のフローチャートである。
【図４】本開示の実施例に係るＤＣＩの概略図である。
【図５】本開示の実施例に係る別のＤＣＩの概略図である。
【図６】本開示の実施例に係る別のＤＣＩの概略図である。
【図７】本開示の実施例に係る別のＤＣＩの概略図である。
【図８】本開示の実施例に係る別のＤＣＩの伝送方法のフローチャートである。
【図９】本開示の実施例に係る端末の構成図である。
【図１０】本開示の実施例に係る基地局の構成図である。
【図１１】本開示の実施例に係る別の端末の構成図である。
【図１２】本開示の実施例に係る別の基地局の構成図である。
【発明を実施するための形態】
【００１３】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者が創造的な労働をしない前提で得る他の全ての実施例は、いずれも本開示の保護範囲に属するものである。
【００１４】
本願の明細書及び特許請求の範囲における用語「含む」及びその任意の変形は、非排他的な包含をカバーすることを意図し、例えば、一連のステップ又はユニットを含むプロセス、方法、システム、製品又は機器は、明確に示されたステップ又はユニットに限定されず、明確に示されていないか又はこれらのプロセス、方法、製品又は機器に固有の、他のステップ又はユニットを含んでもよい。また、明細書及び特許請求の範囲において使用される「及び／又は」は、接続している対象の少なくとも１つを表し、例えば、Ａ及び／又はＢは、Ａのみが存在すること、Ｂのみが存在すること、Ａ及びＢの両方が存在すること、の３つの場合を表す。
【００１５】
本開示の実施例において、「例示的」又は「例えば」などの用語は、例、例証又は例示として表すためのものである。本開示の実施例で「例示的」又は「例えば」と説明される任意の実施例又は設計案は、他の実施例又は設計案よりも好ましい又は有利であると解釈されるべきではない。具体的には、使用される「例示的」又は「例えば」などの用語は、関連する概念を具体的に提示することを目的とする。
【００１６】
以下、図面を参照しながら、本開示の実施を説明する。本開示の実施例に係るＤＣＩの伝送方法、端末及び基地局は無線通信システムに適用することができる。該無線通信システムは、５Ｇシステム、又はｅＬＴＥ（Ｅｖｏｌｖｅｄ  Ｌｏｎｇ  Ｔｅｒｍ  Ｅｖｏｌｕｔｉｏｎ）システム、又は後続進化通信システムを採用することができる。
【００１７】
図１は、本開示の実施例が適用可能なネットワークシステムの構成図である。図１に示すように、ネットワークシステムは端末１１と基地局１２を含み、端末１１は、ＵＥ（Ｕｓｅｒ  Ｅｑｕｉｐｍｅｎｔ）又は他の端末側機器であってよく、例えば、携帯電話、タブレットコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）などの端末側機器であってもよい。なお、本開示の実施例において、端末１１の具体的なタイプを限定しない。上記基地局１２は、４Ｇ基地局又は５Ｇ基地局、又はより新しいバージョンの基地局、又は他の通信システムにおける基地局であってよく、又は、ノードＢ、進化型ノードＢ又は上記分野における他の用語で呼ばれ、同じ技術的効果を達成するものであれば、上記基地局は特定の技術用語に限定されない。また、上記基地局１２は、ＭＮ（Ｍａｓｔｅｒ  Ｎｏｄｅ）又はＳＮ（Ｓｅｃｏｎｄａｒｙ  Ｎｏｄｅ）であってもよい。なお、本開示の実施例において、５Ｇ基地局のみを例とするが、基地局の具体的なタイプを限定しない。
【００１８】
図２は、本開示の実施例に係るＤＣＩの伝送方法のフローチャートである。該伝送方法は、接続状態、アイドル状態又は非アクティブ状態の端末であってもよい端末に適用され、図２に示すように、以下のステップ２０１〜２０２を含む。
【００１９】
ステップ２０１では、アイドル状態の端末に対するページングメッセージとシステム情報の変更がネットワークに同時に存在する場合、上記ページングメッセージのＰＤＳＣＨのスケジューリング情報（Ｐａｇｉｎｇ  ＰＤＳＣＨ  ｓｃｈｅｄｕｌｉｎｇ）と前記システム情報の変更を指示するショートメッセージ（ｓｈｏｒｔ  ｍｅｓｓａｇｅ）とが付帯されている。そうでなければ、前記スケジューリング情報又は前記ショートメッセージが付帯されているＤＣＩを受信する。
【００２０】
ここで、上記ＤＣＩを受信することは、ＰＤＣＣＨで上記ＤＣＩを受信することであってよく、具体的には、基地局がＰＤＣＣＨで上記ＤＣＩを伝送することであってもよい。
【００２１】
アイドル状態の端末に対するページングメッセージとシステム情報の変更がネットワークに同時に存在する場合、前記ＤＣＩに上記ページングメッセージのＰＤＳＣＨのスケジューリング情報とショートメッセージとが付帯されている。そうでなければ、前記ＤＣＩに前記スケジューリング情報又は前記ショートメッセージが付帯されていることは、アイドル状態の端末に対するページングメッセージとシステム情報の変更がネットワークに同時に存在する場合、ＤＣＩにスケジューリング情報とショートメッセージとが付帯されている。アイドル状態の端末に対するページングメッセージのみがネットワークに存在する場合、ＤＣＩに該スケジューリング情報が付帯されており、システム情報の変更のみがネットワークに存在する場合、ＤＣＩにショートメッセージが付帯されていることであってもよい。ここで、アイドル状態の端末に対するページングメッセージとシステム情報の変更がネットワークに同時に存在することは、上記ページングメッセージとシステム情報の変更が基地局に同時に存在するか若しくは基地局がそれらを同時に送信する必要がある。又は基地局がページングメッセージを既に送信した際、ページングメッセージの送信中若しくはページングメッセージを送信しようとする際に、システム情報の変更がさらに存在することであってもよい。
【００２２】
上記ページングメッセージは、アイドル状態の端末又は非アクティブ状態の端末に対するページングメッセージであってもよいため、上記ページングメッセージのＰＤＳＣＨは上記ページングメッセージに対応するＰＤＳＣＨと呼ばれてもよく、上記スケジューリング情報は、
周波数領域リソース（Ｆｒｅｑｕｅｎｃｙ  ｄｏｍａｉｎ  ｒｅｓｏｕｒｃｅ）情報、時間領域リソース（Ｔｉｍｅ  ｄｏｍａｉｎ  ｒｅｓｏｕｒｃｅ）情報、ＶＲＢ（Ｖｉｒｔｕａｌ  Ｒｅｓｏｕｒｃｅ  Ｂｌｏｃｋ）とＰＲＢ（ｐｈｙｓｉｃａｌ  ｒｅｓｏｕｒｃｅ  ｂｌｏｃｋ）のマッピング情報、変調及び符号化方式（ｍｏｄｕｌａｔｉｏｎ  ａｎｄ  ｃｏｄｉｎｇ  ｓｃｈｅｍｅ）、トランスポートブロックスケーリング（Ｔｒａｎｓｐｏｒｔ  Ｂｌｏｃｋ  ｓｃａｌｉｎｇ、ＴＢ  ｓｃａｌｉｎｇ）及び予約ビット（ｂｉｔ）のうちの少なくとも１項を含んでよい。ここで、ＴＢ  ｓｃａｌｉｎｇは２ビットであってもよく、予約ビットは１５ビットであってもよく、これらについて限定しない。
【００２３】
上記システム情報の変更は、通常システム情報の変更とパブリックセーフティのシステム情報の変更のうちの少なくとも１項を含んでよい。また、上記ショートメッセージに残りビットが存在すれば、該残りビットは予約ビットである。ここで、残りビットは、システム情報の変更とパブリックセーフティのシステム情報の変更を指示するビット以外の残りビットである。
【００２４】
なお、本開示の実施例において、通常システム情報はシステム情報と略称してもよく、通常システム情報はパブリックセーフティのシステム情報以外のシステム情報であってもよい。上記パブリックセーフティのシステム情報は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）情報とＣＭＡＳ（Ｃｏｍｍｅｒｃｉａｌ  Ｍｏｂｉｌｅ  Ａｌｅｒｔ  Ｓｅｒｖｉｃｅ）情報のうちの少なくとも１つであってもよい。
【００２５】
また、本開示の実施例において、上記ショートメッセージは、システム情報の変更を指示するＭビットを含んでよく、Ｍが０より大きい整数である。システム情報の変更は、
全てのシステム情報（通常システム情報を指す）が変更するか否か、全てのシステム情報（パブリックセーフティのシステム情報と通常システム情報を含む）が変更するか否か、ＭＩＢ（Ｍａｓｔｅｒ  Ｉｎｆｏｒｍａｔｉｏｎ  Ｂｌｏｃｋ）以外のシステム情報が変更するか否か、ＭＩＢ及びＳＩＢ（Ｓｙｓｔｅｍ  Ｉｎｆｏｒｍａｔｉｏｎ  Ｂｌｏｃｋ）１以外のシステム情報が変更するか否か、各ＳＩＢ（ｐｅｒ−ＳＩＢ）システム情報が変更するか否か、各システムメッセージ（ｐｅｒ−ＳＩ  ｍｅｓｓａｇｅ）が変更するか否か、パブリックセーフティのシステム情報（ＣＭＡＳ及び／又はＥＴＷＳ）が変更するか否かのうちの少なくとも１項を含んでよく、余分なビットは予約され、上記ＳＩはシステム情報（Ｓｙｓｔｅｍ  Ｉｎｆｏｒｍａｔｉｏｎ）を指示する。
【００２６】
なお、本開示の実施例において、システム情報の変更は、システム情報の変化と呼ばれてもよい。
【００２７】
ステップ２０２では、前記ＤＣＩから前記スケジューリング情報と前記ショートメッセージのうちの少なくとも１種を取得する。
【００２８】
該ステップは、ＤＣＩから解析（又は復調）して前記スケジューリング情報と前記ショートメッセージのうちの少なくとも１種を取得することであってもよく、例えば、上記ＤＣＩにスケジューリング情報とショートメッセージが付帯されていれば、ステップ２０２では、スケジューリング情報とショートメッセージを取得し、上記ＤＣＩにスケジューリング情報又はショートメッセージが付帯されていれば、ステップ２０２では、スケジューリング情報又はショートメッセージを取得する。
【００２９】
上記方法では、ページングメッセージのＰＤＳＣＨのスケジューリング情報とシステム情報の変更がネットワークに同時に存在する場合、前記ＤＣＩに前記スケジューリング情報とショートメッセージが付帯されている。そのため、システム情報の更新とアイドル状態の端末のページングが同時に存在する場合、ＤＣＩにページングメッセージのＰＤＳＣＨのスケジューリング情報とショートメッセージを付帯することにより、アイドル状態の端末に対するページングの遅延時間を低減し、さらにアイドル状態と接続状態の端末がシステム情報の更新指示を取得する遅延時間を低減することができる。システム情報の更新とアイドル状態の端末のページングが同時に存在しない場合、ＤＣＩにページングメッセージのＰＤＳＣＨのスケジューリング情報又はショートメッセージを付帯して、スケジューリング情報の伝送又はシステム情報の変更の指示を実現することができる。また、ＤＣＩにより前記スケジューリング情報及び前記ショートメッセージのうちの少なくとも１種を付帯するため、接続状態の端末とアイドル状態の端末の需要を同時に満たすことができる。というのも、接続状態の端末とアイドル状態の端末がいずれもＤＣＩを復調できるからである。当然のことながら、本開示の実施例を、非アクティブ状態の端末に適用することもでき、かつ同じ有益な効果を達成することができる。
【００３０】
また、本開示の実施例において、ＤＣＩの付帯しているスケジューリング情報はスケジューリング情報フィールドと呼ばれてよく、付帯しているショートメッセージはショートメッセージフィールドと呼ばれてよい。また、ＤＣＩは予約ビットを含む予約フィールドをさらに含んでもよく、当然のことながら、これに限定されない。なぜなら、幾つかの実施形態ではＤＣＩがヘッダ（ｈｅａｄｅｒ）フィールド又は指示フィールドをさらに含んでもよいからである。また、本開示の実施例において、ショートメッセージがシステム情報の変更を指示するため、ショートメッセージは、システム情報変更指示情報などの他の名称で呼ばれてもよい。
【００３１】
なお、本開示の実施例に係る上記方法は５Ｇ  ＮＲシステムに適用できるが、これに限定されず、基本的に同じ機能を実現できれば、他の通信システムにも適用される。例えば、４Ｇ又は６Ｇシステム又は、システム情報の変更及びスケジューリング情報の伝送を適用する他の通信システムなどに適用される。
【００３２】
本開示の実施例において、ページングメッセージのＰＤＳＣＨのスケジューリング情報とシステム情報の変更を指示するショートメッセージのうちの少なくとも１種が付帯されているＤＣＩを受信し、前記ＤＣＩから前記スケジューリング情報と前記ショートメッセージのうちの少なくとも１種を取得する。シグナリングの伝送オーバーヘッドを低減することができ、さらに、アイドル状態及び接続状態の端末がシステム情報の更新指示を取得する遅延時間を低減し、かつアイドル状態の端末に対するページングの遅延時間を低減するという効果を達成することができる。
【００３３】
図３は、本開示の実施例に係る別のＤＣＩの伝送方法のフローチャートである。該伝送方法は端末に適用され、図３に示すように、以下のステップ３０１〜３０２を含む。
【００３４】
ステップ３０１では、アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されている。そうでなければ、前記スケジューリング情報又は前記ショートメッセージが付帯されているＤＣＩを受信し、前記ＤＣＩは、前記ＤＣＩに付帯されているコンテンツを指示する指示情報をさらに含む。
【００３５】
ここで、上記指示情報は、前記ＤＣＩに上記スケジューリング情報が付帯されているか否か、及び／又は、前記ショートメッセージが付帯されているか否かを指示することができる。このように、該指示情報により、ＤＣＩに付帯されているコンテンツを端末に知らせることができ、さらに、端末は自体のニーズに応じて上記ＤＣＩを復調して、端末の消費電力を節約するという効果を達成することができる。例えば、上記指示情報はＤＣＩにショートメッセージが付帯されていないことを指示し、かつ接続状態の端末が上記スケジューリング情報を必要としない場合、上記スケジューリング情報を取得せず、端末の消費電力を節約することができる。
【００３６】
選択的な実施形態として、前記ＤＣＩは前記指示情報を含むヘッダフィールドを含む。
ここで、前記指示情報は、前記ＤＣＩに前記スケジューリング情報と前記ショートメッセージのうちの少なくとも１種が付帯されていることを指示し、又は、
前記指示情報の一部のビットは、前記ＤＣＩに前記スケジューリング情報が付帯されているか否かを指示し、他の一部のビットは、前記ＤＣＩに前記ショートメッセージが付帯されているか否かを指示する。
【００３７】
ここで、上記指示情報は前記ＤＣＩに前記スケジューリング情報と前記ショートメッセージのうちの少なくとも１種が付帯されていることを指示することは、該指示情報コードポイントにより前記ＤＣＩに前記スケジューリング情報と前記ショートメッセージのうちの少なくとも１種が付帯されていることを指示すること、又は指示情報はジョイント符号化の方式で前記ＤＣＩに前記スケジューリング情報と前記ショートメッセージのうちの少なくとも１種が付帯されていることを指示することであってもよい。また、上記指示情報はＮビットの指示情報であってよく、Ｎが正の整数であり、例えば、Ｎが２であることを例とすると、図４に示すように、指示情報は、１０であると、ＤＣＩにショートメッセージが付帯されていることを指示し、０１であると、ＤＣＩにスケジューリング情報が付帯されていることを指示し、１１であると、ＤＣＩにスケジューリング情報とショートメッセージが付帯されていることを指示する。上記指示情報は前記ＤＣＩに前記スケジューリング情報と前記ショートメッセージのうちの少なくとも１種が付帯されていることを指示するため、指示情報のコードポイントを節約することができ、例えば、スケジューリング情報とショートメッセージとの指示は３個のコードポイントのみが必要であるため、別のコードポイント（例えば、００）を以降で他のケース（ｃａｓｅ）を指示するために予約することができる。
【００３８】
上記指示情報の一部のビットが、前記ＤＣＩに前記スケジューリング情報が付帯されているか否かを指示し、他の一部のビットが、前記ＤＣＩに前記ショートメッセージが付帯されているか否かを指示することは、上記指示情報が２部分のビットを含み、一部がスケジューリング情報が付帯されているか否かを指示し、他の一部がショートメッセージが付帯されているか否かを指示することであってもよい。例えば、上記指示情報がＮビットであり、Ｎが２であることを例とすると、図５に示すように、１番目のビットはショートメッセージが付帯されているか否かを指示し、１番目のビットが１であると、ショートメッセージが付帯されていることを指示し、０であると、ショートメッセージが付帯されていないことを指示し、２番目のビットはスケジューリング情報が付帯されているか否かを指示し、１番目のビットが１であると、スケジューリング情報が付帯されていることを指示し、０であると、スケジューリング情報が付帯されていないことを指示する。このように、専用ビットによるスケジューリング情報とショートメッセージの指示を実現し、複雑度を低減することができる。
【００３９】
なお、本開示の実施例において、ＤＣＩ中のスケジューリング情報とショートメッセージの位置を限定せず、例えば、図４及び図５に示す位置であってもよく、スケジューリング情報が前にあり、ショートメッセージが後にあってもよい。
【００４０】
上記実施形態では、ＤＣＩがヘッダフィールド（ｈｅａｄｅｒフィールド）＋ショートメッセージフィールド及び／又はＰａｇｉｎｇ  ＰＤＳＣＨのスケジューリングフィールド＋予約フィールドを含むことを実現することができる。ここで、ショートメッセージフィールド及び／又はＰａｇｉｎｇ  ＰＤＳＣＨのスケジューリングフィールドは、ＤＣＩがショートメッセージフィールドとスケジューリングフィールドのうちの少なくとも１項を含むことを示す。
【００４１】
例えば、一態様では、Ｎ  ｂｉｔで構成されるヘッダ（ジョイント符号化を採用してよい）は、ヘッダの後に下記のＡ〜Ｃのいずれかの情報が付帯されるか指示する。
【００４２】
Ａ、ショートメッセージ。即ち、ヘッダのうちのＭ  ｂｉｔはシステム情報の変化を指示する。ここで、システム情報の変化は、全てのシステム情報（通常システム情報を指す）が変化するか否か、全てのシステム情報（パブリックセーフティのシステム情報を含む）が変化するか否か、ＭＩＢ以外のシステム情報が変化するか否か、ＭＩＢ及びＳＩＢ１以外のシステム情報が変化するか否か、ｐｅｒ−ＳＩＢシステム情報が変化するか否か、ｐｅｒ−ＳＩ  ｍｅｓｓａｇｅシステムメッセージが変化するか否か、パブリックセーフティのシステム情報（ＣＭＡＳ及び／又はＥＴＷＳ）が変化するか否かのうちの少なくとも１項を含み、余分なｂｉｔは予約される。
【００４３】
Ｂ、ヘッダのうちのＫ  ｂｉｔはページングメッセージのＰＤＳＣＨのスケジューリング情報を付帯していることを指示する。さらに、このスケジューリング情報に指示情報が付帯されてよく、該指示情報は、該ページングメッセージにシステム情報の変更指示が付帯されているか否かを指示し、Ｋは１以上の整数である。
【００４４】
Ｃ、ショートメッセージとページングのＰＤＳＣＨのスケジューリング情報を同時に付帯している。
【００４５】
例えば、Ｎ＝２の場合、図４に示すように、２ｂｉｔはスケジューリング情報とショートメッセージのうちの少なくとも１種を示し、ここで、コードポイント００を、以降で他のｃａｓｅを指示するため予約する。
【００４６】
また、例えば、別の態様では、ヘッダフィールド中のＮ  ｂｉｔは、以下のように、それぞれヘッダの後にＡ，Ｂいずれかの情報が付帯されているか否かを指示する。
【００４７】
Ａ、図５に示すように、１ｂｉｔはｈｅａｄｅｒの後にショートメッセージがあるか否かを指示し、
Ｂ、図５に示すように、１ｂｉｔは後にページングメッセージに対応するＰＤＳＣＨのスケジューリング情報があるか否かを指示する。
【００４８】
ここで、上記２つの態様では、ショートメッセージ（ｓｈｏｒｔ  ｍｅｓｓａｇｅ）とページングメッセージのＰＤＳＣＨのスケジューリング（Ｐａｇｉｎｇ  ＰＤＳＣＨ  ｓｃｈｅｄｕｌｉｎｇ）情報との位置を変更してもよい。
【００４９】
別の選択的な実施形態として、前記ＤＣＩに前記ショートメッセージが付帯されており、前記指示情報は前記ＤＣＩに前記スケジューリング情報が付帯されているか否かを指示する。
【００５０】
ここで、上記ショートメッセージはＭビットであってよく、Ｍが１以上の整数であり、該ショートメッセージについて上記実施形態の説明を参照すればよく、ここでは説明を省略する。
【００５１】
上記指示情報は１ビットであってよく、例えば、図６に示すように、１であると、前記スケジューリング情報が付帯されていることを指示し、０であると、前記スケジューリング情報が付帯されていないことを指示する。当然のことながら、本開示の実施例において、該指示情報のビット数を限定せず、例えば、上記指示情報はＮビットであってよく、Ｎは１以上の整数である。
【００５２】
なお、指示情報は、図６に示すように、ショートメッセージの後、スケジューリング情報の前に位置してもよいが、本開示の実施例において、ショートメッセージとスケジューリング情報の位置を限定せず、かつ上記指示情報の位置も限定せず、例えば、上記指示情報はＤＣＩの最後に位置してもよく、予約ビットの前に位置してもよい。
【００５３】
該実施形態では、指示情報は前記スケジューリング情報が付帯されているか否かのみを指示すればよいため、ＤＣＩのオーバーヘッドを節約することができる。
【００５４】
選択的に、該実施形態では、前記ＤＣＩはＫ１ビットを含み、ここで、前記指示情報は前記ＤＣＩに前記スケジューリング情報が付帯されていることを指示すれば、前記Ｋ１ビットは前記スケジューリング情報を指示し、前記指示情報は前記ＤＣＩに前記スケジューリング情報が付帯されていないことを指示すれば、前記Ｋ１ビットは予約ビットであり、Ｋ１は１以上の整数である。
【００５５】
このように、ＤＣＩの予約ビットを合理的に利用して上記スケジューリング情報を指示することにより、ＤＣＩのオーバーヘッドを低減することを実現することができ、新たなフォーマットのＤＣＩを設計する必要がないため、複雑度を低減する効果を達成することができる。
【００５６】
上記実施形態では、ヘッダフィールドの除去を実現することができ、ＤＣＩはショートメッセージフィールド＋スケジューリング指示フィールド及び／又はＰａｇｉｎｇ  ＰＤＳＣＨのスケジューリングフィールド＋予約フィールドを含み、ここで、該スケジューリング指示フィールドは、前記ＤＣＩに前記スケジューリング情報が付帯されているか否かを指示する上記指示情報を含む。
【００５７】
一態様では、上記ＤＣＩは、具体的には、以下のａ〜ｃを含んでよい。
【００５８】
ａ、Ｍ  ｂｉｔは、システム情報の変化を指示し、上記実施例において説明されたＭ  ｂｉｔを参照することができる。
【００５９】
ｂ、Ｈ１  ｂｉｔは、後にＰａｇｉｎｇのＰＤＳＣＨのスケジューリング情報が付帯されているか否かを指示し、該Ｈ１は、選択的に、１ビットである。
【００６０】
ｃ、ＰａｇｉｎｇのＰＤＳＣＨのスケジューリング情報が付帯されていることを指示すれば、Ｋ  ｂｉｔは、ページングメッセージのＰＤＳＣＨのスケジューリング情報が付帯されていることを指示する。ここで、このスケジューリング情報がないことを示すためのＫ  ｂｉｔの１つのコードポイント（ｃｏｄｅ  ｐｏｉｎｔ）を予約する必要がない。付帯されていないことを指示すれば、後続の全てのビットを予約ビットとする。
【００６１】
別の選択的な実施形態として、上記ＤＣＩはヘッダフィールドを含み、前記ヘッダフィールドは、前記ＤＣＩに前記ショートメッセージと前記スケジューリング情報のうちの一方が付帯されていることを指示する前記指示情報を含み、前記ＤＣＩに前記ショートメッセージと前記スケジューリング情報のうちの他方も付帯されていれば、前記ＤＣＩのうちのＫｘビットにより前記ショートメッセージと前記スケジューリング情報のうちの他方を指示し、Ｋｘは１以上の整数である。
【００６２】
該実施形態では、ヘッダフィールドでＤＣＩにショートメッセージ又はスケジューリング情報が付帯されていることを指示し、ＤＣＩにショートメッセージとスケジューリング情報が同時に付帯されていると、Ｋｘビットにより、ヘッダフィールドで指示されないコンテンツを指示することを実現することができる。それにより、ヘッダフィールドは１ビットによりＤＣＩにショートメッセージ又はスケジューリング情報が付帯されていることを指示できるため、ＤＣＩのオーバーヘッドを低減することができる。また、他方のコンテンツを指示しないため、ＤＣＩの複雑度を低減することができる。
【００６３】
以下、４つの選択的な実施形態を例として説明する。
【００６４】
１つの選択的な実施形態では、前記指示情報は前記ＤＣＩに前記ショートメッセージが付帯されていることを指示し、かつ前記ＤＣＩのうちのＫ２ビットが特定のコードポイントでなければ、前記Ｋ２ビットは前記スケジューリング情報を指示し、前記Ｋ２ビットが前記特定のコードポイントであれば、前記ＤＣＩに前記スケジューリング情報が付帯されていないことを示し、Ｋ２は１以上の整数である。
【００６５】
該実施形態では、上記指示情報はＤＣＩに前記ショートメッセージが付帯されていることを指示する場合、上記Ｋ２ビットによりスケジューリング情報を指示するか、又はＤＣＩにスケジューリング情報が付帯されていないことを指示することを実現することができる。ここで、上記特定のコードポイントは、予め設定されたものであってもよく、プロトコルにおいて定義されたものであってもよく、ネットワーク側が端末に対して設定するものであってもよい。例えば、Ｋ２ビットは全て０である。
【００６６】
該実施形態では、上記特定のコードポイントによりスケジューリング情報が付帯されているか否かを指示し、特定のコードポイントでない場合に、Ｋ２ビットにより前記スケジューリング情報を指示して、スケジューリング情報が付帯されているか否かを指示する追加のビットは必要がないため、ＤＣＩのオーバーヘッドを節約することができる。
【００６７】
該実施形態では、ＤＣＩがヘッダフィールド＋ショートメッセージフィールド及び／又はＰａｇｉｎｇ  ＰＤＳＣＨのスケジューリングフィールド＋指示フィールド＋予約フィールドを含むことを実現することができる。なお、ここの指示フィールドは上記Ｋ２ビットが上記特定のコードポイントである時のＫ２ビットを示し、スケジューリングフィールドは上記Ｋ２ビットが上記特定のコードポイントでない時のＫ２ビットを示す。
【００６８】
例えば、上記ＤＣＩは、具体的には、以下のａ〜ｃを含んでよい。
【００６９】
ａ、Ｎ１  ｂｉｔヘッダフィールド、それは、後にショートメッセージが付帯されているか、それともページングメッセージのＰＤＳＣＨのスケジューリング情報が付帯されているかを指示する。
【００７０】
ｂ、ショートメッセージが付帯されていれば、ｃは以下のように解釈される：
ｃ、ページングメッセージのＰＤＳＣＨのスケジューリング情報が付帯されていることを、ショートメッセージの後の予約ビットのうちのＫ  ｂｉｔにより指示する。ここで、Ｋ  ｂｉｔの１つのコードポイント（ｃｏｄｅ  ｐｏｉｎｔ）は、ページングメッセージのＰＤＳＣＨのスケジューリング情報が付帯されていないことを指示するために予約され、例えば、Ｋ  ｂｉｔが全て０００００であることは、このページングメッセージのＰＤＳＣＨのスケジューリング情報が付帯されていないことを示す。
【００７１】
１つの選択的な実施形態では、前記指示情報は上記ＤＣＩに前記ショートメッセージが付帯されていることを指示すれば、前記ＤＣＩは前記ＤＣＩに前記スケジューリング情報が付帯されているか否かを指示する第１の指示ビットを含み、ここで、前記第１の指示ビットは前記ＤＣＩに前記スケジューリング情報が付帯されていることを指示すれば、前記ＤＣＩ中のＫ３ビットは前記スケジューリング情報を指示し、Ｋ３は１以上の整数である。
【００７２】
該実施形態では、指示情報は前記ＤＣＩに前記ショートメッセージが付帯されていることを指示する場合、第１の指示ビットにより前記ＤＣＩに前記スケジューリング情報が付帯されているか否かを指示し、付帯されていれば、Ｋ３ビットが前記スケジューリング情報を指示することを実現することができる。上記第１の指示ビットは１ビットであってよく、例えば、１であると、前記スケジューリング情報が付帯されていることを指示し、０であると、前記スケジューリング情報が付帯されていないことを指示する。当然のことながら、上記第１の指示ビットのビット数と位置は限定しない。
【００７３】
このように、第１の指示ビットにより、ＤＣＩに前記スケジューリング情報が付帯されているか否かを具体的に指示することで、ＤＣＩの複雑度を低減することができる。
【００７４】
該実施形態では、ＤＣＩがヘッダフィールド＋ショートメッセージフィールド及び／又はＰａｇｉｎｇ  ＰＤＳＣＨのスケジューリングフィールド＋指示フィールド＋予約フィールドを含むことを実現することができる。
【００７５】
例えば、ＤＣＩは、具体的には、以下のａ〜ｄを含んでよい。
【００７６】
ａ、Ｎ１  ｂｉｔヘッダフィールド、それは、後にショートメッセージが付帯されているか、それともページングメッセージのＰＤＳＣＨのスケジューリング情報が付帯されているかを指示し、例えば、１ｂｉｔである。
【００７７】
ｂ、ショートメッセージが付帯されていれば、ｃとｄは以下のように解釈される：
ｃ、ページングメッセージのＰＤＳＣＨのスケジューリング情報が付帯されていることを、ショートメッセージの後の予約ビットのうちのＫ  ｂｉｔにより指示する。
【００７８】
ｄ、ページングメッセージのＰＤＳＣＨのスケジューリング情報が付帯されているか否かをショートメッセージの後のＮ２  ｂｉｔにより指示し、Ｎ２  ｂｉｔはショートメッセージの後の任意の位置にあってよく、例えば、Ｎ２＝１ｂｉｔ。
【００７９】
１つの選択的な実施形態では、前記指示情報は前記ＤＣＩに上記スケジューリング情報が付帯されていることを指示すれば、前記ＤＣＩ中のＭ１ビットは前記ショートメッセージを指示する。ここで、Ｍ１は１以上の整数である。
【００８０】
該実施形態では、ＤＣＩにスケジューリング情報とショートメッセージが付帯されている場合に、指示情報のみによりスケジューリング情報が付帯されているか否かを指示することを実現できるため、ＤＣＩのオーバーヘッドを低減することができる。
【００８１】
該実施形態では、ＤＣＩがヘッダフィールド＋ショートメッセージフィールド及び／又はＰａｇｉｎｇ  ＰＤＳＣＨのスケジューリングフィールド＋予約フィールドを含むことを実現することができる。
【００８２】
例えば、ＤＣＩは、具体的には、以下のａ〜ｃを含んでよい。
【００８３】
ａ、Ｎ１  ｂｉｔ  ｈｅａｄｅｒ、それは、後にショートメッセージが付帯されているか、それともｐａｇｉｎｇメッセージのＰＤＳＣＨのスケジューリング情報が付帯されているかを指示する。
【００８４】
ｂ、ページングメッセージのＰＤＳＣＨのスケジューリング情報が付帯されていれば、ｃは以下のように解釈される：
ｃ、システム情報の更新を、スケジューリング情報の後の予約ｂｉｔのうちのＭ  ｂｉｔにより指示する。
【００８５】
１つの選択的な実施形態では、前記指示情報は前記ＤＣＩに前記スケジューリング情報が付帯されていることを指示すれば、前記ＤＣＩは前記ＤＣＩに前記ショートメッセージが付帯されているか否かを指示する第２の指示ビットを含み、前記第２の指示ビットは前記ＤＣＩに前記ショートメッセージが付帯されていることを指示すれば、前記ＤＣＩ中のＭ２ビットは前記ショートメッセージを指示し、Ｍ２は１以上の整数である。
【００８６】
該実施形態では、指示情報は前記ＤＣＩに前記スケジューリング情報が付帯されていることを指示する場合、第２の指示ビットにより前記ＤＣＩに前記ショートメッセージが付帯されているか否かを指示し、付帯されていれば、Ｍ２ビットにより前記ショートメッセージを指示することを実現することができる。ここで、上記第２の指示ビットは１ビットであってよく、例えば、１であると、前記ショートメッセージが付帯されていることを指示し、０であると、前記ショートメッセージが付帯されていないことを指示する。当然のことながら、上記第２の指示ビットのビット数と位置を限定しない。
【００８７】
このように、ＤＣＩに前記ショートメッセージが付帯されているか否かを第２の指示ビットにより具体的に指示することで、ＤＣＩの複雑度を低減することができる。
【００８８】
該実施形態では、ＤＣＩがヘッダフィールド＋ショートメッセージフィールド及び／又はＰａｇｉｎｇ  ＰＤＳＣＨのスケジューリングフィールド＋指示フィールド＋予約フィールドを含むことを実現することができる。
【００８９】
例えば、ＤＣＩは、具体的には、以下のａ〜ｄを含んでよい。
【００９０】
ａ、Ｎ１  ｂｉｔヘッダフィールド、それは、後にショートメッセージが付帯されているか、それとも、ページングメッセージのＰＤＳＣＨのスケジューリング情報が付帯されているかを指示し、例えば、１ｂｉｔである。
【００９１】
ｂ、ページングメッセージのＰＤＳＣＨのスケジューリング情報が付帯されていれば、ｃとｄは以下のように解釈される：
ｃ、システム情報の更新を、スケジューリング情報の後の予約ｂｉｔのうちのＭ  ｂｉｔにより指示する。
【００９２】
ｄ、システム情報の更新が付帯されているか否かを、スケジューリング情報の後のＨ２  ｂｉｔにより指示する。Ｈ２  ｂｉｔは、スケジューリング情報の後の任意の位置にあってよく、例えば、Ｈ２＝１ｂｉｔ。なお、ここのＨ２  ｂｉｔは上記第２の指示ビットである。
【００９３】
ステップ３０２では、前記ＤＣＩから前記スケジューリング情報と前記ショートメッセージのうちの少なくとも１種を取得する。
【００９４】
なお、本実施例において、幾つかの実施形態では、上記ＤＣＩはステップ３０１における指示情報を含まなくてもよく、
例えば、選択的な実施形態では、前記ＤＣＩに前記ショートメッセージが付帯されており、前記ＤＣＩはＫ４ビットをさらに含み、前記Ｋ４ビットが特定のコードポイントでなければ、前記Ｋ４ビットは前記スケジューリング情報を指示し、前記Ｋ４ビットが前記特定のコードポイントであれば、前記ＤＣＩに前記スケジューリング情報が付帯されていないことを示し、Ｋ４は１以上の整数である。
【００９５】
該実施形態では、ＤＣＩに前記ショートメッセージが付帯されている場合に、Ｋ４ビットによりスケジューリング情報を指示するとともに、Ｋ４ビットが上記特定のコードポイントであると、前記ＤＣＩに前記スケジューリング情報が付帯されていないことを示すことを実現できるため、ＤＣＩのオーバーヘッドを節約することができる。ここで、上記特定のコードポイントは、端末によって予め設定されたものであってもよく、プロトコルにおいて予め定義されたものであってもよく、ネットワーク側が端末に対して予め設定するものであってもよく、選択的に、Ｋ４ビットは全て０である。
【００９６】
該実施形態では、ヘッダフィールドを除去してもよく、例えば、図７に示すように、ＤＣＩは、ショートメッセージフィールド及び／又はＰａｇｉｎｇ  ＰＤＳＣＨのスケジューリングフィールド＋予約フィールドを含む。
【００９７】
一態様では、ＤＣＩは、具体的には、以下のａ〜ｂを含んでよい。
【００９８】
ａ、Ｍ  ｂｉｔ、それは、システム情報の変化を指示し、ここのＭ  ｂｉｔについては上記実施形態の説明を参照することができるため、ここでは説明を省略する。
【００９９】
ｂ、Ｋ  ｂｉｔ、それは、ページングメッセージのＰＤＳＣＨのスケジューリング情報が付帯されていることを指示する。ここで、Ｋ  ｂｉｔの１つのコードポイント（ｃｏｄｅ  ｐｏｉｎｔ）は、後にＰａｇｉｎｇメッセージのＰＤＳＣＨがスケジューリングされないことを示すために予約される。例えば、Ｋ  ｂｉｔが全て０００００であることは、このページングメッセージのＰＤＳＣＨのスケジューリング情報が付帯されていないことを示す。
【０１００】
なお、本開示の実施例において説明されたＫ、Ｋ１、Ｋ２、Ｋ３、Ｋ４及びＫｘは同じ数値であってもよく、当然のことながら、異なる数値であってもよく、これについて限定しない。同様に、Ｍ１とＭ２は同じ数値であってもよく、当然のことながら、異なる数値であってもよく、これについて限定しない。
【０１０１】
選択的に、本開示の実施例において、上記ＤＣＩ中の残りビットは予約ビット（Ｒｅｓｅｒｖｅｄ  ｂｉｔｓ）である。ここの残りビットは、本開示の実施例におけるＤＣＩについて定義していないビットであってもよい。例えば、図４〜図７に示す予約フィールド（Ｒｅｓｅｒｖｅｄ）である。
【０１０２】
選択的に、本開示の実施例において、前記スケジューリング情報又は前記ＤＣＩに指示情報が付帯されており、該指示情報は前記ページングメッセージにシステム情報の変更指示が付帯されているか否かを指示する。
【０１０３】
スケジューリング情報又は上記ＤＣＩにおいて前記ページングメッセージにシステム情報の変更指示が付帯されているか否かを指示できるため、端末はページングメッセージにシステム情報の変更指示が付帯されているか否かを迅速に特定して、端末の動作効率を向上させ、遅延時間を低減することができる。
【０１０４】
本開示の実施例において、図１に示す実施例を基に多くの選択的な実施形態を追加し、かつシグナリングの伝送オーバーヘッドを低減することができ、さらに、アイドル状態及び接続状態の端末がシステム情報の更新指示を取得する遅延時間を低減し、アイドル状態の端末に対するページングの遅延時間を低減するという有益な効果を達成することができる。ＤＣＩが以下のＤＣＩフォーマットを含むが、これらに限定されないことを実現することができる。
【０１０５】
ヘッダフィールド＋ショートメッセージ及び／又はＰａｇｉｎｇ  ＰＤＳＣＨのスケジューリングフィールド、
ショートメッセージフィールド及び／又はＰａｇｉｎｇ  ＰＤＳＣＨのスケジューリングフィールド＋予約フィールド、
ショートメッセージフィールド＋スケジューリング指示フィールド及び／又はＰａｇｉｎｇ  ＰＤＳＣＨのスケジューリングフィールド＋予約フィールド、
ｈｅａｄｅｒ＋ショートメッセージフィールド及び／又はＰａｇｉｎｇ  ＰＤＳＣＨのスケジューリングフィールド＋指示フィールド＋予約フィールド。
【０１０６】
ここで、ショートメッセージフィールド及び／又はｐａｇｉｎｇ  ＰＤＳＣＨのスケジューリングフィールドは、ＤＣＩがショートメッセージとｐａｇｉｎｇ  ＰＤＳＣＨのスケジューリングフィールドのうちの少なくとも１項を含むことを示す。
【０１０７】
図８は、本開示の実施例に係る別のＤＣＩの伝送方法のフローチャートである。該伝送方法は基地局に適用され、図８に示すように、以下のステップ８０１〜８０２を含む。
【０１０８】
ステップ８０１では、アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを生成し、
ステップ８０２では、ＰＤＣＣＨで前記ＤＣＩを伝送する。
【０１０９】
選択的に、前記ＤＣＩは、上記ＤＣＩに付帯されているコンテンツを指示する指示情報をさらに含む。
【０１１０】
選択的に、前記ＤＣＩは前記指示情報を含むヘッダフィールドを含み、
ここで、前記指示情報は、前記ＤＣＩに前記スケジューリング情報と前記ショートメッセージのうちの少なくとも１種が付帯されていることを指示し、又は、
前記指示情報の一部のビットは、前記ＤＣＩに前記スケジューリング情報が付帯されているか否かを指示し、他の一部のビットは、前記ＤＣＩに前記ショートメッセージが付帯されているか否かを指示する。
【０１１１】
選択的に、前記ＤＣＩに前記ショートメッセージが付帯されており、前記指示情報は前記ＤＣＩに前記スケジューリング情報が付帯されているか否かを指示する。
【０１１２】
選択的に、前記ＤＣＩはＫ１ビットを含み、前記指示情報は前記ＤＣＩに前記スケジューリング情報が付帯されていることを指示すれば、前記Ｋ１ビットは前記スケジューリング情報を指示し、前記指示情報が前記ＤＣＩに前記スケジューリング情報が付帯されていないことを指示すれば、前記Ｋ１ビットは予約ビットであり、Ｋ１は１以上の整数である。
【０１１３】
選択的に、前記ＤＣＩはヘッダフィールドを含み、前記ヘッダフィールドは、前記ＤＣＩに前記ショートメッセージと前記スケジューリング情報のうちの一方が付帯されていることを指示する前記指示情報を含み、前記ＤＣＩに前記ショートメッセージと前記スケジューリング情報のうちの他方も付帯されていれば、前記ＤＣＩ中のＫｘビットにより前記ショートメッセージと前記スケジューリング情報のうちの他方を指示し、Ｋｘは１以上の整数である。
【０１１４】
選択的に、前記指示情報は前記ＤＣＩに前記ショートメッセージが付帯されていることを指示し、かつ前記ＤＣＩ中のＫ２ビットが特定のコードポイントでなければ、前記Ｋ２ビットは前記スケジューリング情報を指示し、前記Ｋ２ビットが前記特定のコードポイントであれば、前記ＤＣＩに前記スケジューリング情報が付帯されていないことを示し、Ｋ２が１以上の整数であり、又は、
前記指示情報は前記ＤＣＩに前記ショートメッセージが付帯されていることを指示すれば、前記ＤＣＩは前記ＤＣＩに前記スケジューリング情報が付帯されているか否かを指示する第１の指示ビットを含み、ここで、前記第１の指示ビットが前記ＤＣＩに前記スケジューリング情報が付帯されていることを指示すれば、前記ＤＣＩ中のＫ３ビットは前記スケジューリング情報を指示し、Ｋ３が１以上の整数であり、又は、
前記指示情報は前記ＤＣＩに前記スケジューリング情報が付帯されていることを指示すれば、前記ＤＣＩ中のＭ１ビットは前記ショートメッセージを指示し、Ｍ１が１以上の整数であり、又は、
前記指示情報は前記ＤＣＩに前記スケジューリング情報が付帯されていることを指示すれば、前記ＤＣＩは前記ＤＣＩに前記ショートメッセージが付帯されているか否かを指示する第２の指示ビットを含み、ここで、前記第２の指示ビットは、前記ＤＣＩに前記ショートメッセージが付帯されていることを指示すれば、前記ＤＣＩ中のＭ２ビットは前記ショートメッセージを指示し、Ｍ２は１以上の整数である。
【０１１５】
選択的に、前記ＤＣＩに前記ショートメッセージが付帯されており、前記ＤＣＩはＫ４ビットをさらに含み、前記Ｋ４ビットが特定のコードポイントでなければ、前記Ｋ４ビットは前記スケジューリング情報を指示し、前記Ｋ４ビットが前記特定のコードポイントであれば、前記ＤＣＩに前記スケジューリング情報が付帯されていないことを示し、Ｋ４は１以上の整数である。
【０１１６】
選択的に、前記ＤＣＩ中の残りビットは予約ビットである。
【０１１７】
選択的に、前記システム情報の変更は、通常システム情報の変更とパブリックセーフティのシステム情報の変更のうちの少なくとも１項を含み、
ここで、前記ショートメッセージに残りビットが存在すれば、該残りビットが予約ビットである。
【０１１８】
選択的に、前記スケジューリング情報又は前記ＤＣＩに指示情報が付帯されており、該指示情報は前記ページングメッセージにシステム情報の変更指示が付帯されているか否かを指示する。
【０１１９】
なお、本実施例は、図２及び図３に示す実施例に対応する基地局の実施形態として、その具体的な実施形態について、図２及び図３に示す実施例に関連する説明を参照すればよく、同じ有益な効果を達成し、重複を避けるために、ここでは説明を省略する。
【０１２０】
図９は、本開示の実施例に係る端末の構成図であり、図９に示すように、端末９００は、
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを受信する受信モジュール９０１と、
前記ＤＣＩから前記スケジューリング情報と前記ショートメッセージのうちの少なくとも１種を取得する取得モジュール９０２とを含む。
【０１２１】
選択的に、前記ＤＣＩは、前記ＤＣＩに付帯されているコンテンツを指示する指示情報をさらに含む。
【０１２２】
選択的に、前記ＤＣＩは、前記指示情報を含むヘッダフィールドを含み、
ここで、前記指示情報は、前記ＤＣＩに前記スケジューリング情報と前記ショートメッセージのうちの少なくとも１種が付帯されていることを指示し、又は、
前記指示情報の一部のビットは、前記ＤＣＩに前記スケジューリング情報が付帯されているか否かを指示し、他の一部のビットは、前記ＤＣＩに前記ショートメッセージが付帯されているか否かを指示する。
【０１２３】
選択的に、前記ＤＣＩに前記ショートメッセージが付帯されており、前記指示情報は前記ＤＣＩに前記スケジューリング情報が付帯されているか否かを指示する。
【０１２４】
選択的に、前記ＤＣＩはＫ１ビットを含み、前記指示情報は前記ＤＣＩに前記スケジューリング情報が付帯されていることを指示すれば、前記Ｋ１ビットは前記スケジューリング情報を指示し、前記指示情報が前記ＤＣＩに前記スケジューリング情報が付帯されていないことを指示すれば、前記Ｋ１ビットは予約ビットであり、Ｋ１は１以上の整数である。
【０１２５】
選択的に、前記ＤＣＩはヘッダフィールドを含み、前記ヘッダフィールドは、前記ＤＣＩに前記ショートメッセージと前記スケジューリング情報のうちの一方が付帯されていることを指示する前記指示情報を含み、前記ＤＣＩに前記ショートメッセージと前記スケジューリング情報のうちの他方も付帯されていれば、前記ＤＣＩ中のＫｘビットにより前記ショートメッセージと前記スケジューリング情報のうちの他方を指示し、Ｋｘは１以上の整数である。
【０１２６】
選択的に、前記指示情報は前記ＤＣＩに前記ショートメッセージが付帯されていることを指示し、かつ前記ＤＣＩ中のＫ２ビットが特定のコードポイントでなければ、前記Ｋ２ビットは前記スケジューリング情報を指示し、前記Ｋ２ビットが前記特定のコードポイントであれば、前記ＤＣＩに前記スケジューリング情報が付帯されていないことを示し、Ｋ２が１以上の整数であり、又は、
前記指示情報は前記ＤＣＩに前記ショートメッセージが付帯されていることを指示すれば、前記ＤＣＩは前記ＤＣＩに前記スケジューリング情報が付帯されているか否かを指示する第１の指示ビットを含み、ここで、前記第１の指示ビットが前記ＤＣＩに前記スケジューリング情報が付帯されていることを指示すれば、前記ＤＣＩ中のＫ３ビットは前記スケジューリング情報を指示し、Ｋ３が１以上の整数であり、又は、
前記指示情報は前記ＤＣＩに前記スケジューリング情報が付帯されていることを指示すれば、前記ＤＣＩ中のＭ１ビットは前記ショートメッセージを指示し、Ｍ１が１以上の整数であり、又は、
前記指示情報は前記ＤＣＩに前記スケジューリング情報が付帯されていることを指示すれば、前記ＤＣＩは前記ＤＣＩに前記ショートメッセージが付帯されているか否かを指示する第２の指示ビットを含み、ここで、前記第２の指示ビットは、前記ＤＣＩに前記ショートメッセージが付帯されていることを指示すれば、前記ＤＣＩ中のＭ２ビットは前記ショートメッセージを指示し、Ｍ２は１以上の整数である。
【０１２７】
選択的に、前記ＤＣＩに前記ショートメッセージが付帯されており、前記ＤＣＩはＫ４ビットをさらに含み、前記Ｋ４ビットが特定のコードポイントでなければ、前記Ｋ４ビットは前記スケジューリング情報を指示し、前記Ｋ４ビットが前記特定のコードポイントであれば、前記ＤＣＩに前記スケジューリング情報が付帯されていないことを示し、Ｋ４は１以上の整数である。
【０１２８】
選択的に、前記ＤＣＩ中の残りビットは予約ビットである。
【０１２９】
選択的に、前記システム情報の変更は、通常システム情報の変更とパブリックセーフティのシステム情報の変更のうちの少なくとも１項を含み、
ここで、前記ショートメッセージに残りビットが存在すれば、該残りビットが予約ビットである。
【０１３０】
選択的に、前記スケジューリング情報又は前記ＤＣＩに指示情報が付帯されており、該指示情報は前記ページングメッセージにシステム情報の変更指示が付帯されているか否かを指示する。
【０１３１】
本開示の実施例に係る端末は、図２及び図３の方法の実施例における端末によって実現される各プロセスを実現することができ、重複を避けるために、ここでは説明を省略し、シグナリングの伝送オーバーヘッドを低減することができ、さらに、アイドル状態及び接続状態の端末がシステム情報の更新指示を取得する遅延時間を低減し、かつアイドル状態の端末に対するページングの遅延時間を低減するという効果を達成することができる。
【０１３２】
図１０は、本開示の実施例に係る基地局の構成図であり、図１０に示すように、基地局１０００は、
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを生成する生成モジュール１００１と、
ＰＤＣＣＨで前記ＤＣＩを伝送する伝送モジュール１００２とを含む。
【０１３３】
選択的に、前記ＤＣＩは、前記ＤＣＩに付帯されているコンテンツを指示する指示情報をさらに含む。
【０１３４】
選択的に、前記ＤＣＩは、前記指示情報を含むヘッダフィールドを含む。
ここで、前記指示情報は、前記ＤＣＩに前記スケジューリング情報と前記ショートメッセージのうちの少なくとも１種が付帯されていることを指示し、又は、
前記指示情報の一部のビットは、前記ＤＣＩに前記スケジューリング情報が付帯されているか否かを指示し、他の一部のビットは、前記ＤＣＩに前記ショートメッセージが付帯されているか否かを指示する。
【０１３５】
選択的に、前記ＤＣＩに前記ショートメッセージが付帯されており、前記指示情報は前記ＤＣＩに前記スケジューリング情報が付帯されているか否かを指示する。
【０１３６】
選択的に、前記ＤＣＩはＫ１ビットを含み、前記指示情報は前記ＤＣＩに前記スケジューリング情報が付帯されていることを指示すれば、前記Ｋ１ビットは前記スケジューリング情報を指示し、前記指示情報が前記ＤＣＩに前記スケジューリング情報が付帯されていないことを指示すれば、前記Ｋ１ビットは予約ビットであり、Ｋ１は１以上の整数である。
【０１３７】
選択的に、前記ＤＣＩはヘッダフィールドを含み、前記ヘッダフィールドは、前記ＤＣＩに前記ショートメッセージと前記スケジューリング情報のうちの一方が付帯されていることを指示する前記指示情報を含み、前記ＤＣＩに前記ショートメッセージと前記スケジューリング情報のうちの他方も付帯されていれば、前記ＤＣＩ中のＫｘビットにより前記ショートメッセージと前記スケジューリング情報のうちの他方を指示し、Ｋｘは１以上の整数である。
【０１３８】
選択的に、前記指示情報は前記ＤＣＩに前記ショートメッセージが付帯されていることを指示し、かつ前記ＤＣＩ中のＫ２ビットが特定のコードポイントでなければ、前記Ｋ２ビットは前記スケジューリング情報を指示し、前記Ｋ２ビットが前記特定のコードポイントであれば、前記ＤＣＩに前記スケジューリング情報が付帯されていないことを示し、Ｋ２が１以上の整数であり、又は、
前記指示情報は前記ＤＣＩに前記ショートメッセージが付帯されていることを指示すれば、前記ＤＣＩは前記ＤＣＩに前記スケジューリング情報が付帯されているか否かを指示する第１の指示ビットを含み、ここで、前記第１の指示ビットが前記ＤＣＩに前記スケジューリング情報が付帯されていることを指示すれば、前記ＤＣＩ中のＫ３ビットは前記スケジューリング情報を指示し、Ｋ３が１以上の整数であり、又は、
前記指示情報は前記ＤＣＩに前記スケジューリング情報が付帯されていることを指示すれば、前記ＤＣＩ中のＭ１ビットは前記ショートメッセージを指示し、Ｍ１が１以上の整数であり、又は、
前記指示情報は前記ＤＣＩに前記スケジューリング情報が付帯されていることを指示すれば、前記ＤＣＩは前記ＤＣＩに前記ショートメッセージが付帯されているか否かを指示する第２の指示ビットを含み、ここで、前記第２の指示ビットは、前記ＤＣＩに前記ショートメッセージが付帯されていることを指示すれば、前記ＤＣＩ中のＭ２ビットは前記ショートメッセージを指示し、Ｍ２は１以上の整数である。
【０１３９】
選択的に、前記ＤＣＩに前記ショートメッセージが付帯されており、前記ＤＣＩはＫ４ビットをさらに含み、前記Ｋ４ビットが特定のコードポイントでなければ、前記Ｋ４ビットは前記スケジューリング情報を指示し、前記Ｋ４ビットが前記特定のコードポイントであれば、前記ＤＣＩに前記スケジューリング情報が付帯されていないことを示し、Ｋ４は１以上の整数である。
【０１４０】
選択的に、前記ＤＣＩ中の残りビットは予約ビットである。
【０１４１】
選択的に、前記システム情報の変更は、通常システム情報の変更とパブリックセーフティのシステム情報の変更のうちの少なくとも１項を含み、
ここで、前記ショートメッセージに残りビットが存在すれば、該残りビットが予約ビットである。
【０１４２】
選択的に、前記スケジューリング情報又は前記ＤＣＩに指示情報が付帯されており、該指示情報は前記ページングメッセージにシステム情報の変更指示が付帯されているか否かを指示する。
【０１４３】
本開示の実施例に係る基地局は、図８の方法の実施例における基地局によって実現される各プロセスを実現することができ、重複を避けるために、ここでは説明を省略し、シグナリングの伝送オーバーヘッドを低減することができ、さらに、アイドル状態及び接続状態の端末がシステム情報の更新指示を取得する遅延時間を低減し、かつアイドル状態の端末に対するページングの遅延時間を低減するという効果を達成することができる。
【０１４４】
図１１は、本開示の各実施例を実現する端末のハードウェア概略構成図である。
【０１４５】
該端末１１００は、無線周波数ユニット１１０１、ネットワークモジュール１１０２、オーディオ出力ユニット１１０３、入力ユニット１１０４、センサ１１０５、表示ユニット１１０６、ユーザ入力ユニット１１０７、インタフェースユニット１１０８、メモリ１１０９、プロセッサ１１１０及び電源１１１１などの部品を含むが、これらに限定されない。当業者が理解できるように、図１１に示す端末の構造は、端末を限定するものではなく、端末は、図示より多いか又は少ない部品を含んでもよく、ある部品を組み合わせたり、部品を異なるように配置したりしてもよい。本開示の実施例において、端末は、携帯電話、タブレットコンピュータ、ノートパソコン、パームトップコンピュータ、車載端末、ウェアラブルデバイス及び歩数計などを含むが、これらに限定されない。
【０１４６】
無線周波数ユニット１１０１は、アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを受信し、
プロセッサ１１１０は、前記ＤＣＩから前記スケジューリング情報と前記ショートメッセージのうちの少なくとも１種を取得する。
【０１４７】
選択的に、前記ＤＣＩは、前記ＤＣＩに付帯されているコンテンツを指示する指示情報をさらに含む。
【０１４８】
選択的に、前記ＤＣＩは、前記指示情報を含むヘッダフィールドを含む。
ここで、前記指示情報は、前記ＤＣＩに前記スケジューリング情報と前記ショートメッセージのうちの少なくとも１種が付帯されていることを指示し、又は、
前記指示情報の一部のビットは、前記ＤＣＩに前記スケジューリング情報が付帯されているか否かを指示し、他の一部のビットは、前記ＤＣＩに前記ショートメッセージが付帯されているか否かを指示する。
【０１４９】
選択的に、前記ＤＣＩに前記ショートメッセージが付帯されており、前記指示情報は前記ＤＣＩに前記スケジューリング情報が付帯されているか否かを指示する。
【０１５０】
選択的に、前記ＤＣＩはＫ１ビットを含み、前記指示情報は前記ＤＣＩに前記スケジューリング情報が付帯されていることを指示すれば、前記Ｋ１ビットは前記スケジューリング情報を指示し、前記指示情報が前記ＤＣＩに前記スケジューリング情報が付帯されていないことを指示すれば、前記Ｋ１ビットは予約ビットであり、Ｋ１は１以上の整数である。
【０１５１】
選択的に、前記ＤＣＩはヘッダフィールドを含み、前記ヘッダフィールドは、前記ＤＣＩに前記ショートメッセージと前記スケジューリング情報のうちの一方が付帯されていることを指示する前記指示情報を含み、前記ＤＣＩに前記ショートメッセージと前記スケジューリング情報のうちの他方も付帯されていれば、前記ＤＣＩ中のＫｘビットにより前記ショートメッセージと前記スケジューリング情報のうちの他方を指示し、Ｋｘは１以上の整数である。
【０１５２】
選択的に、前記指示情報は前記ＤＣＩに前記ショートメッセージが付帯されていることを指示し、かつ前記ＤＣＩ中のＫ２ビットが特定のコードポイントでなければ、前記Ｋ２ビットは前記スケジューリング情報を指示し、前記Ｋ２ビットが前記特定のコードポイントであれば、前記ＤＣＩに前記スケジューリング情報が付帯されていないことを示し、Ｋ２が１以上の整数であり、又は、
前記指示情報は前記ＤＣＩに前記ショートメッセージが付帯されていることを指示すれば、前記ＤＣＩは前記ＤＣＩに前記スケジューリング情報が付帯されているか否かを指示する第１の指示ビットを含み、ここで、前記第１の指示ビットが前記ＤＣＩに前記スケジューリング情報が付帯されていることを指示すれば、前記ＤＣＩ中のＫ３ビットは前記スケジューリング情報を指示し、Ｋ３が１以上の整数であり、又は、
前記指示情報は前記ＤＣＩに前記スケジューリング情報が付帯されていることを指示すれば、前記ＤＣＩ中のＭ１ビットは前記ショートメッセージを指示し、Ｍ１が１以上の整数であり、又は、
前記指示情報は前記ＤＣＩに前記スケジューリング情報が付帯されていることを指示すれば、前記ＤＣＩは前記ＤＣＩに前記ショートメッセージが付帯されているか否かを指示する第２の指示ビットを含み、ここで、前記第２の指示ビットは、前記ＤＣＩに前記ショートメッセージが付帯されていることを指示すれば、前記ＤＣＩ中のＭ２ビットは前記ショートメッセージを指示し、Ｍ２は１以上の整数である。
【０１５３】
選択的に、前記ＤＣＩに前記ショートメッセージが付帯されており、前記ＤＣＩはＫ４ビットをさらに含み、前記Ｋ４ビットが特定のコードポイントでなければ、前記Ｋ４ビットは前記スケジューリング情報を指示し、前記Ｋ４ビットが前記特定のコードポイントであれば、前記ＤＣＩに前記スケジューリング情報が付帯されていないことを示し、Ｋ４は１以上の整数である。
【０１５４】
選択的に、前記ＤＣＩ中の残りビットは予約ビットである。
【０１５５】
選択的に、前記システム情報の変更は、通常システム情報の変更とパブリックセーフティのシステム情報の変更のうちの少なくとも１項を含み、
ここで、前記ショートメッセージに残りビットが存在すれば、該残りビットが予約ビットである。
【０１５６】
選択的に、前記スケジューリング情報又は前記ＤＣＩに指示情報が付帯されており、該指示情報は前記ページングメッセージにシステム情報の変更指示が付帯されているか否かを指示する。
【０１５７】
上記端末は、シグナリングの伝送オーバーヘッドを低減することができ、さらに、アイドル状態及び接続状態の端末がシステム情報の更新指示を取得する遅延時間を低減し、かつアイドル状態の端末に対するページングの遅延時間を低減するという効果を達成することができる。
【０１５８】
本開示の実施例において、無線周波数ユニット１１０１は、情報の送受信中又は通話中の信号の送受信に用いられてよい。具体的には、基地局からのダウンリンクデータを受信した後、プロセッサ１１１０に処理させ、また、アップリンクデータを基地局に送信することを理解されたい。一般的に、無線周波数ユニット１１０１は、アンテナ、少なくとも１つの増幅器、送受信機、カプラ、低雑音増幅器、デュプレクサなどを含むが、これらに限定されない。また、無線周波数ユニット１１０１は、さらに、無線通信システムによりネットワーク及び他の機器と通信することができる。
【０１５９】
端末は、ネットワークモジュール１１０２によりユーザに無線のブロードバンドインターネットアクセスを提供して、例えば、ユーザの電子メールの送受信、ウェブの閲覧及びストリーミングメディアのアクセス等を支援する。
【０１６０】
オーディオ出力ユニット１１０３は、無線周波数ユニット１１０１又はネットワークモジュール１１０２によって受信される又はメモリ１１０９に記憶されているオーディオデータをオーディオ信号に変換して音声として出力することができる。そして、オーディオ出力ユニット１１０３は、さらに端末１１００によって実行される特定の機能に関連するオーディオ出力（例えば、呼出音、メッセージ着信音等）を提供することができる。オーディオ出力ユニット１１０３は、スピーカ、ブザー及びレシーバーなどを含む。
【０１６１】
入力ユニット１１０４は、オーディオ又はビデオ信号を受信する。入力ユニット１１０４は、ＧＰＵ（Ｇｒａｐｈｉｃｓ  Ｐｒｏｃｅｓｓｉｎｇ  Ｕｎｉｔ）１１０４１及びマイクロフォン１１０４２を含んでよく、ＧＰＵ１１０４１は、動画撮影モード又は画像撮影モードで撮影装置（例えば、カメラ）によって取得された静止画像又はビデオの画像データを処理する。処理後の画像フレームは、表示ユニット１１０６に表示することができる。グラフィック処理ユニット１１０４１によって処理された画像フレームは、メモリ１１０９（又は他の記憶媒体）に記憶し、又は無線周波数ユニット１１０１又はネットワークモジュール１１０２を介して送信することができる。マイクロフォン１１０４２は、音声を受信し、かつ、このような音声をオーディオデータに処理することができる。処理後のオーディオデータは、電話通話モードで無線周波数ユニット１１０１によって移動通信基地局に送信可能なフォーマットに変換して出力することができる。
【０１６２】
端末１１００は、光センサ、動きセンサ及び他のセンサなどの少なくとも１種のセンサ１１０５をさらに含んでよい。具体的には、光センサは、環境光線の明るさに応じて表示パネル１１０６１の輝度を調節することができる環境光センサと、端末１１００が耳元に移動するときに、表示パネル１１０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢（例えば、縦向き／横向きの切替、ゲーム関連、磁力計の姿勢較正）の識別、振動識別に関連する機能（例えば、歩数計、タッピング）等に用いられてよく、センサ１１０５は、指紋センサ、圧力センサ、虹彩センサ、分子センサ、ジャイロスコープ、気圧計、湿度計、温度計、赤外線センサなどをさらに含んでよく、ここでは説明を省略する。
【０１６３】
表示ユニット１１０６は、ユーザによって入力された情報又はユーザに提供する情報を表示する。表示ユニット１１０６は、表示パネル１１０６１を含んでよく、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）などの形態で表示パネル１１０６１を構成することができる。
【０１６４】
ユーザ入力ユニット１１０７は、入力された数字又は文字情報を受信すること、及び端末のユーザ設定及び機能制御に関連するキー信号入力を生成することができる。具体的には、ユーザ入力ユニット１１０７は、タッチパネル１１０７１及び他の入力装置１１０７２を含む。タッチパネル１１０７１は、タッチスクリーンとも呼ばれ、タッチパネル又はその近くでのユーザのタッチ操作（例えば、指、スタイラスペンなどの任意の適切な物体又は付属品を用いたタッチパネル１１０７１で又はタッチパネル１１０７１の近くでのユーザの操作）を収集することができる。タッチパネル１１０７１は、タッチ検出装置及びタッチコントローラの二部分を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ１１１０に送信し、プロセッサ１１１０から送信されたコマンドを受信し、実行する。また、抵抗式、容量式、赤外線式及び表面弾性波式などの様々なタイプでタッチパネル１１０７１を実現することができる。タッチパネル１１０７１に加えて、ユーザ入力ユニット１１０７は、他の入力機器１１０７２をさらに含んでよい。具体的には、他の入力機器１１０７２は、物理キーボード、機能キー（例えば、ボリューム調節キー、スイッチキーなど）、トラックボール、マウス及び操作レバーを含み得るが、これらに限定されず、ここでは説明を省略する。
【０１６５】
さらに、タッチパネル１１０７１は、表示パネル１１０６１をカバーすることができ、タッチパネル１１０７１がタッチパネル又はその近くでのタッチ操作を検出した後、プロセッサ１１１０に伝送してタッチイベントのタイプを特定し、その後に、プロセッサ１１１０は、タッチイベントのタイプに応じて対応する視覚的出力を表示パネル１１０６１に提供する。図１１において、タッチパネル１１０７１と表示パネル１１０６１は、２つの独立した部品として端末の入出力機能を実現するが、いくつかの実施例において、タッチパネル１１０７１と表示パネル１１０６１を一体化して端末の入出力機能を実現してもよく、ここでは具体的に限定しない。
【０１６６】
インタフェースユニット１１０８は、外部装置と端末１１００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット１１０８は、外部装置からの入力（例えば、データ情報、電力など）を受信すると共に、受信した入力を端末１１００内の１つ以上の素子に伝送するか又は端末１１００と外部装置との間のデータ伝送に用いる。
【０１６７】
メモリ１１０９は、ソフトウェアプログラム及び様々なデータを記憶することができる。メモリ１１０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ１１０９は、高速ランダムアクセスメモリを含んでもよく、少なくとも１つの磁気ディスクメモリ素子、フラッシュメモリ素子又は他の揮発性固体メモリ素子などの不揮発性メモリを含んでもよい。
【０１６８】
プロセッサ１１１０は、端末の制御センターであり、様々なインタフェースと回線により端末全体の各部分に接続され、メモリ１１０９に記憶されているソフトウェアプログラム及び／又はモジュールを動作させるか又は実行し、メモリ１１０９に記憶されたデータを呼び出すことにより、端末の様々な機能とデータ処理を実行して、端末全体を制御する。プロセッサ１１１０は、１つ以上の処理ユニットを含んでよく、選択的に、プロセッサ１１１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ１１１０に集積されなくてもよいことを理解されたい。
【０１６９】
端末１１００は、各部品に給電する電源１１１１（例えば、電池）を含んでよく、選択的に、電源１１１１は、電源管理システムによりプロセッサ１１１０と論理的に接続されて、電源管理システムにより充電、放電の管理及び消費電力の管理等の機能を実現する。
【０１７０】
また、端末１１００は、いくつかの未図示の機能モジュールを含み、ここでは説明を省略する。
【０１７１】
選択的に、本開示の実施例は、プロセッサ１１１０と、メモリ１１０９と、メモリ１１０９に記憶されて前記プロセッサ１１１０上で実行可能で、プロセッサ１１１０によって実行されると、上記ＤＣＩの伝送方法の実施例の各プロセスを実現し、かつ同じ技術的効果を達成できるコンピュータプログラムとを含む、端末をさらに提供し、重複を避けるために、ここでは説明を省略する。
【０１７２】
図１２は、本開示の実施例に係る別の基地局の構成図であり、図１２に示すように、該基地局１２００は、プロセッサ１２０１、トランシーバ１２０２、メモリ１２０３及びバスインタフェースを含み、
プロセッサ１２０１は、アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを生成し、
トランシーバ１２０２は、ＰＤＣＣＨで前記ＤＣＩを伝送する。
【０１７３】
選択的に、前記ＤＣＩは、前記ＤＣＩに付帯されているコンテンツを指示する指示情報をさらに含む。
【０１７４】
選択的に、前記ＤＣＩは、前記指示情報を含むヘッダフィールドを含み、
ここで、前記指示情報は、前記ＤＣＩに前記スケジューリング情報と前記ショートメッセージのうちの少なくとも１種が付帯されていることを指示し、又は、
前記指示情報の一部のビットは、前記ＤＣＩに前記スケジューリング情報が付帯されているか否かを指示し、他の一部のビットは、前記ＤＣＩに前記ショートメッセージが付帯されているか否かを指示する。
【０１７５】
選択的に、前記ＤＣＩに前記ショートメッセージが付帯されており、前記指示情報は前記ＤＣＩに前記スケジューリング情報が付帯されているか否かを指示する。
【０１７６】
選択的に、前記ＤＣＩはＫ１ビットを含み、前記指示情報は前記ＤＣＩに前記スケジューリング情報が付帯されていることを指示すれば、前記Ｋ１ビットは前記スケジューリング情報を指示し、前記指示情報が前記ＤＣＩに前記スケジューリング情報が付帯されていないことを指示すれば、前記Ｋ１ビットは予約ビットであり、Ｋ１は１以上の整数である。
【０１７７】
選択的に、前記ＤＣＩはヘッダフィールドを含み、前記ヘッダフィールドは、前記ＤＣＩに前記ショートメッセージと前記スケジューリング情報のうちの一方が付帯されていることを指示する前記指示情報を含み、前記ＤＣＩに前記ショートメッセージと前記スケジューリング情報のうちの他方も付帯されていれば、前記ＤＣＩ中のＫｘビットにより前記ショートメッセージと前記スケジューリング情報のうちの他方を指示し、Ｋｘは１以上の整数である。
【０１７８】
選択的に、前記指示情報は前記ＤＣＩに前記ショートメッセージが付帯されていることを指示し、かつ前記ＤＣＩ中のＫ２ビットが特定のコードポイントでなければ、前記Ｋ２ビットは前記スケジューリング情報を指示し、前記Ｋ２ビットが前記特定のコードポイントであれば、前記ＤＣＩに前記スケジューリング情報が付帯されていないことを示し、Ｋ２が１以上の整数であり、又は、
前記指示情報は前記ＤＣＩに前記ショートメッセージが付帯されていることを指示すれば、前記ＤＣＩは前記ＤＣＩに前記スケジューリング情報が付帯されているか否かを指示する第１の指示ビットを含み、ここで、前記第１の指示ビットが前記ＤＣＩに前記スケジューリング情報が付帯されていることを指示すれば、前記ＤＣＩ中のＫ３ビットは前記スケジューリング情報を指示し、Ｋ３が１以上の整数であり、又は、
前記指示情報は前記ＤＣＩに前記スケジューリング情報が付帯されていることを指示すれば、前記ＤＣＩ中のＭ１ビットは前記ショートメッセージを指示し、Ｍ１が１以上の整数であり、又は、
前記指示情報は前記ＤＣＩに前記スケジューリング情報が付帯されていることを指示すれば、前記ＤＣＩは前記ＤＣＩに前記ショートメッセージが付帯されているか否かを指示する第２の指示ビットを含み、ここで、前記第２の指示ビットは、前記ＤＣＩに前記ショートメッセージが付帯されていることを指示すれば、前記ＤＣＩ中のＭ２ビットは前記ショートメッセージを指示し、Ｍ２は１以上の整数である。
【０１７９】
選択的に、前記ＤＣＩに前記ショートメッセージが付帯されており、前記ＤＣＩはＫ４ビットをさらに含み、前記Ｋ４ビットが特定のコードポイントでなければ、前記Ｋ４ビットは前記スケジューリング情報を指示し、前記Ｋ４ビットが前記特定のコードポイントであれば、前記ＤＣＩに前記スケジューリング情報が付帯されていないことを示し、Ｋ４は１以上の整数である。
【０１８０】
選択的に、前記ＤＣＩ中の残りビットは予約ビットである。
【０１８１】
選択的に、前記システム情報の変更は、通常システム情報の変更とパブリックセーフティのシステム情報の変更のうちの少なくとも１項を含み、
ここで、前記ショートメッセージに残りビットが存在すれば、該残りビットが予約ビットである。
【０１８２】
選択的に、前記スケジューリング情報又は前記ＤＣＩに指示情報が付帯されており、該指示情報は前記ページングメッセージにシステム情報の変更指示が付帯されているか否かを指示する。
【０１８３】
上記基地局は、シグナリングの伝送オーバーヘッドを低減することができ、さらに、アイドル状態及び接続状態の端末がシステム情報の更新指示を取得する遅延時間を低減し、かつアイドル状態の端末に対するページングの遅延時間を低減するという効果を達成することができる。
【０１８４】
トランシーバ１２０２は、プロセッサ１２０１による制御下で、データを送受信し、上記トランシーバ１２０２は少なくとも２つのアンテナポートを含む。
【０１８５】
図１２において、バスアーキテクチャは、任意の数の相互接続されたバス及びブリッジを含んでよく、具体的には、プロセッサ１２０１を代表とする１つ以上のプロセッサ及びメモリ１２０３を代表とするメモリの様々な回路によって一体に接続される。バスアーキテクチャは、さらに、周辺機器、スタビライザ及びパワー管理回路等の様々なその他の回路を一体に接続してもよく、これらはいずれも本分野において既知のものであるため、本明細書においてさらに説明しない。バスインタフェースは、インタフェースを提供する。トランシーバ１２０２は、複数の部品であってよく、即ち、送信機及び受信機を含み、伝送媒体で様々な他の装置と通信するためのユニットを提供する。異なるユーザ機器に応じて、ユーザインタフェースは、必要な機器を外接及び内接できるインタフェースであってもよく、接続された機器は、キーパッド、ディスプレイ、スピーカ、マイクロフォン、ジョイスティックなどを含むが、それらに限定されない。
【０１８６】
プロセッサ１２０１は、バスアーキテクチャ及び一般的な処理の管理を担当し、メモリ１２０３は、プロセッサ１２０１が操作実行時に用いられるデータを記憶してよい。
【０１８７】
選択的に、本開示の実施例は、プロセッサ１２０１と、メモリ１２０３と、メモリ１２０３に記憶されて前記プロセッサ１２０１上で実行可能で、プロセッサ１２０１によって実行されると、上記ＤＣＩの伝送方法の実施例の各プロセスを実現し、かつ同じ技術的効果を達成できるコンピュータプログラムとを含む、基地局をさらに提供し、重複を避けるために、ここでは説明を省略する。
【０１８８】
本開示の実施例に係るコンピュータ可読記憶媒体は、プロセッサによって実行されると、本開示の実施例に係る端末側のＤＣＩの伝送方法の実施例の各プロセスを実現するか、又は本開示の実施例に係る基地局側のＤＣＩの伝送方法の実施例の各プロセスを実現し、かつ同じ技術的効果を達成できるコンピュータプログラムが記憶されており、重複を避けるために、ここでは説明を省略する。上記コンピュータ可読記憶媒体は、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ディスク又は光ディスクなどであってもよい。
【０１８９】
なお、本明細書において、用語「含む」、「備える」及びそれらの任意の変形は、非排他的な包含をカバーするものであることにより、一連の要素を含むプロセス、方法、物品又は装置は、それらの要素を含むだけでなく、明確に例示されていない他の要素をさらに含むか、又はこれらのプロセス、方法、物品又は装置に固有の要素をさらに含む。更なる限定がない限り、語句「…を１つ含む」により限定された要素は、該要素を含むプロセス、方法、物品又は装置に別の同一の要素がさらに存在する可能性がある。
【０１９０】
以上の実施形態の説明により、当業者が明確に理解できるように、上記実施例の方法は、ソフトウェアと必要な汎用ハードウェアプラットフォームを併用した方法で実現でき、当然のことながら、ハードウェアでも実現できるが、多くの場合に前者がより好ましい実施形態である。このような理解に基づいて、本開示の技術手段は、本質的又は従来技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶されており、一台の端末（携帯電話、コンピュータ、サーバ、エアコン又はネットワーク機器などであってもよい）に本開示の各実施例に記載の方法を実行させるための複数の命令を含む。
【０１９１】
以上で図面を参照して本開示の実施例を説明したが、本開示は、上記具体的な実施形態に限定されるものではなく、上記具体的な実施形態は、ただ例示的なものであり、制限的なものではなく、当業者であれば本開示の示唆で、本開示の趣旨及び特許請求の範囲の保護範囲から逸脱することなく、その他種々の態様が可能で、これらはいずれも本開示の保護範囲内に属する。
【図１】
2021521735.tif 000003
【図２】
2021521735.tif 000004
【図３】
2021521735.tif 000005
【図４】
2021521735.tif 000006
【図５】
2021521735.tif 000007
【図６】
2021521735.tif 000008
【図７】
2021521735.tif 000009
【図８】
2021521735.tif 000010
【図９】
2021521735.tif 000011
【図１０】
2021521735.tif 000012
【図１１】
2021521735.tif 000013
【図１２】
2021521735.tif 000014
【手続補正書】
【提出日】令和2年12月3日(2020.12.3)
【手続補正１】
【補正対象書類名】明細書
【補正対象項目名】００３８
【補正方法】変更
【補正の内容】
【００３８】
上記指示情報の一部のビットが、前記ＤＣＩに前記スケジューリング情報が付帯されているか否かを指示し、他の一部のビットが、前記ＤＣＩに前記ショートメッセージが付帯されているか否かを指示することは、上記指示情報が２部分のビットを含み、一部がスケジューリング情報が付帯されているか否かを指示し、他の一部がショートメッセージが付帯されているか否かを指示することであってよい。例えば、上記指示情報がＮビットであり、Ｎが２であることを例とすると、図５に示すように、１番目のビットはショートメッセージが付帯されているか否かを指示し、１番目のビットが１であると、ショートメッセージが付帯されていることを指示し、０であると、ショートメッセージが付帯されていないことを指示し、２番目のビットはスケジューリング情報が付帯されているか否かを指示し、２番目のビットが１であると、スケジューリング情報が付帯されていることを指示し、０であると、スケジューリング情報が付帯されていないことを指示する。このように、専用ビットによるスケジューリング情報とショートメッセージの指示を実現し、複雑度を低減することができる。
【手続補正２】
【補正対象書類名】特許請求の範囲
【補正対象項目名】全文
【補正方法】変更
【補正の内容】
【特許請求の範囲】
【請求項１】
端末に適用されるＤＣＩ（Ｄｏｗｎｌｉｎｋ  Ｃｏｎｔｒｏｌ  Ｉｎｆｏｒｍａｔｉｏｎ）の伝送方法であって、
アイドル状態の端末に対するページングメッセージとシステム情報の変更がネットワークに同時に存在する場合、前記ページングメッセージのＰＤＳＣＨ（Ｐｈｙｓｉｃａｌ  Ｄｏｗｎｌｉｎｋ  Ｓｈａｒｅｄ  Ｃｈａｎｎｅｌ）のスケジューリング情報と前記システム情報の変更を指示するショートメッセージとが付帯されており、そうでなければ、前記スケジューリング情報又は前記ショートメッセージが付帯されているＤＣＩを受信することと、
前記ＤＣＩから前記スケジューリング情報と前記ショートメッセージのうちの少なくとも１種を取得することとを含む、ＤＣＩの伝送方法。
【請求項２】
前記ＤＣＩは、前記ＤＣＩに付帯されているコンテンツを指示する指示情報をさらに含む、請求項１に記載のＤＣＩの伝送方法。
【請求項３】
前記ＤＣＩは、前記指示情報を含むヘッダフィールドを含み、
ここで、前記指示情報は、前記ＤＣＩに前記スケジューリング情報と前記ショートメッセージのうちの少なくとも１種が付帯されていることを指示し、又は、
前記指示情報の一部のビットは、前記ＤＣＩに前記スケジューリング情報が付帯されているか否かを指示し、他の一部のビットは、前記ＤＣＩに前記ショートメッセージが付帯されているか否かを指示する、請求項２に記載のＤＣＩの伝送方法。
【請求項４】
前記ＤＣＩに前記ショートメッセージが付帯されており、前記指示情報は前記ＤＣＩに前記スケジューリング情報が付帯されているか否かを指示する、請求項２に記載のＤＣＩの伝送方法。
【請求項５】
前記ＤＣＩはＫ１ビットを含み、前記指示情報は前記ＤＣＩに前記スケジューリング情報が付帯されていることを指示すれば、前記Ｋ１ビットは前記スケジューリング情報を指示し、前記指示情報が前記ＤＣＩに前記スケジューリング情報が付帯されていないことを指示すれば、前記Ｋ１ビットは予約ビットであり、Ｋ１が１以上の整数である、請求項４に記載のＤＣＩの伝送方法。
【請求項６】
前記ＤＣＩはヘッダフィールドを含み、前記ヘッダフィールドは、前記ＤＣＩに前記ショートメッセージと前記スケジューリング情報のうちの一方が付帯されていることを指示する前記指示情報を含み、前記ＤＣＩに前記ショートメッセージと前記スケジューリング情報のうちの他方も付帯されていれば、前記ＤＣＩ中のＫｘビットにより前記ショートメッセージと前記スケジューリング情報のうちの他方を指示し、Ｋｘが１以上の整数である、請求項２に記載のＤＣＩの伝送方法。
【請求項７】
前記ＤＣＩに前記ショートメッセージが付帯されており、前記ＤＣＩはＫ４ビットをさらに含み、前記Ｋ４ビットが特定のコードポイントでなければ、前記Ｋ４ビットは前記スケジューリング情報を指示し、前記Ｋ４ビットが前記特定のコードポイントであれば、前記ＤＣＩに前記スケジューリング情報が付帯されていないことを示し、Ｋ４が１以上の整数である、請求項１に記載のＤＣＩの伝送方法。
【請求項８】
前記ＤＣＩ中の残りビットは予約ビットであり、
又は、
前記システム情報の変更は、通常システム情報の変更とパブリックセーフティのシステム情報の変更のうちの少なくとも１項を含み、
ここで、前記ショートメッセージに残りビットが存在すれば、該残りビットが予約ビットであり、
又は、
前記スケジューリング情報又は前記ＤＣＩに指示情報が付帯されており、該指示情報は前記ページングメッセージにシステム情報の変更指示が付帯されているか否かを指示する、請求項１〜７のいずれか１項に記載のＤＣＩの伝送方法。
【請求項９】
基地局に適用されるＤＣＩの伝送方法であって、
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを生成することと、
ＰＤＣＣＨで前記ＤＣＩを伝送することとを含む、ＤＣＩの伝送方法。
【請求項１０】
前記ＤＣＩは、前記ＤＣＩに付帯されているコンテンツを指示する指示情報をさらに含む、請求項９に記載のＤＣＩの伝送方法。
【請求項１１】
前記ＤＣＩは、前記指示情報を含むヘッダフィールドを含み、
ここで、前記指示情報は、前記ＤＣＩに前記スケジューリング情報と前記ショートメッセージのうちの少なくとも１種が付帯されていることを指示し、又は、
前記指示情報の一部のビットは、前記ＤＣＩに前記スケジューリング情報が付帯されているか否かを指示し、他の一部のビットは、前記ＤＣＩに前記ショートメッセージが付帯されているか否かを指示する、請求項１０に記載のＤＣＩの伝送方法。
【請求項１２】
前記ＤＣＩに前記ショートメッセージが付帯されており、前記指示情報は前記ＤＣＩに前記スケジューリング情報が付帯されているか否かを指示する、請求項１０に記載のＤＣＩの伝送方法。
【請求項１３】
前記ＤＣＩはヘッダフィールドを含み、前記ヘッダフィールドは、前記ＤＣＩに前記ショートメッセージと前記スケジューリング情報のうちの一方が付帯されていることを指示する前記指示情報を含み、前記ＤＣＩに前記ショートメッセージと前記スケジューリング情報のうちの他方も付帯されていれば、前記ＤＣＩ中のＫｘビットにより前記ショートメッセージと前記スケジューリング情報のうちの他方を指示し、Ｋｘが１以上の整数である、請求項１０に記載のＤＣＩの伝送方法。
【請求項１４】
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを受信する受信モジュールと、
前記ＤＣＩから前記スケジューリング情報と前記ショートメッセージのうちの少なくとも１種を取得する取得モジュールとを含む、端末。
【請求項１５】
アイドル状態の端末に対するページングメッセージとシステム情報の変更がネットワークに同時に存在する場合、前記ページングメッセージのＰＤＳＣＨのスケジューリング情報と前記システム情報の変更を指示するショートメッセージとが付帯されており、そうでなければ、前記スケジューリング情報又は前記ショートメッセージが付帯されているＤＣＩを生成する生成モジュールと、
ＰＤＣＣＨで前記ＤＣＩを伝送する伝送モジュールとを含む、基地局。
【国際調査報告】
2021521735.tif 000015
2021521735.tif 000016
2021521735.tif 000017
2021521735.tif 000018